(57)【要約】  ワイヤレス通信のための方法、システム、およびデバイスが記載される。基地局およびユーザ機器（ＵＥ）は、高信頼性および低遅延の通信システム（たとえば、超高信頼低遅延通信（ＵＲＬＬＣ））において通信し得る。基地局は、バッファステータスレポート（ＢＳＲ）が新しいデータパケットによってトリガされると、ＵＥが瞬時ＳＲを送信するために利用し得るＵＥ固有のスケジューリング要求（ＳＲ）繰返し構成を通知し得る。ＵＥは、繰返しの数もしくは繰返しの時間期間が満たされるか、または基地局からアップリンク認可が受信されるまで、ＳＲを繰り返し送信し得る。ＳＲ繰返し構成は、繰返し設定、電力設定、リソース割振り、および肯定応答／否定応答（ＡＣＫ／ＮＡＣＫ）プロシージャを含む、いくつかのパラメータを含み得る。【選択図】図２
2020535704.tif 000002
【特許請求の範囲】
【請求項１】
ユーザ機器（ＵＥ）におけるワイヤレス通信のための方法であって、
前記ＵＥ用のスケジューリング要求（ＳＲ）繰返しパラメータを備えるメッセージを基地局から受信すること、前記ＳＲ繰返しパラメータは、ＵＥ固有であり、前記ＵＥ用のトラフィック優先度、ＵＥリンクバジェット、トラフィック待ち時間要件、またはＳＲ実行履歴のうちの１つまたは複数に少なくとも部分的に基づく、と、
前記受信されたＳＲ繰返しパラメータに少なくとも部分的に基づいて、前記基地局にＳＲの繰返しを送信することと
を備える、方法。
【請求項２】
前記ＳＲ繰返しパラメータは、ＳＲ繰返しの最大数を示すＳＲ繰返し数を表す、
請求項１に記載の方法。
【請求項３】
前記ＳＲ繰返しパラメータは、ＳＲ繰返し周期を表す、
請求項１に記載の方法。
【請求項４】
前記ＳＲ繰返しパラメータは、前記ＳＲの前記繰返しの送信を開始する開始シンボル期間を表し、前記開始シンボル期間は、ＳＲ繰返し数およびＳＲ繰返し周期に少なくとも部分的に基づき、前記ＳＲの前記繰返しは、前記開始シンボル期間を使用して送信される、
請求項１に記載の方法。
【請求項５】
前記ＳＲ繰返しパラメータは、前記ＵＥ用のＳＲ繰返し構成のインデックスを備える、
請求項１に記載の方法。
【請求項６】
前記ＳＲ繰返しパラメータは、前記ＳＲの前記繰返し用の電力構成を表し、前記方法は、
前記電力構成に基づいて、前記ＳＲの前記繰返しを送信するための送信電力を調整することをさらに備える、
請求項１に記載の方法。
【請求項７】
前記ＳＲの前記繰返しを送信するための前記送信電力を調整することは、
しきい値を満たすチャネル状態を有するために、前記ＵＥによって知られているシンボル期間内で前記ＳＲの前記繰返し用の前記送信電力を増大させることを備える、
請求項６に記載の方法。
【請求項８】
前記ＳＲ繰返しパラメータは、ＳＲ繰返し数に少なくとも部分的に基づいて、前記ＳＲの前記繰返しを送信するための前記送信電力を表す、
請求項６に記載の方法。
【請求項９】
前記ＳＲ繰返しパラメータは、ＳＲリソース割振りを表し、前記ＳＲの前記繰返しは、前記ＳＲリソース割振りに従って時間周波数リソースのセット上で送信される、
請求項１に記載の方法。
【請求項１０】
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返しを送信することを表す、
請求項９に記載の方法。
【請求項１１】
前記ＳＲの前記繰返しを送信することは、
ＳＲ繰返しの最大数が満たされるまで、ＳＲ応答ウィンドウの間に前記ＳＲを送信することを備える、
請求項１に記載の方法。
【請求項１２】
前記ＳＲの前記繰返しを送信することは、
前記基地局からリソース認可が受信されるまで、ＳＲ応答ウィンドウの間に前記ＳＲを送信することを備える、
請求項１に記載の方法。
【請求項１３】
前記ＳＲの前記繰返しを送信することは、
複数のスロットまたはサブフレーム内で前記ＳＲの前記繰返しを送信することを備える、
請求項１に記載の方法。
【請求項１４】
フィードバックメッセージの送信と前記ＳＲの前記繰返しとの間の衝突を識別することと、
前記フィードバックメッセージの優先度と前記ＳＲの前記繰返しの優先度とを決定することと、
前記フィードバックメッセージの前記優先度および前記ＳＲの前記繰返しの前記優先度に少なくとも部分的に基づいて、前記フィードバックメッセージ、もしくは前記ＳＲの前記繰返し、または両方を送信することと
をさらに備える、請求項１に記載の方法。
【請求項１５】
前記メッセージは、無線リソース制御（ＲＲＣ）メッセージを備えるか、または物理ダウンリンク制御チャネル（ＰＤＣＣＨ）を介する、
請求項１に記載の方法。
【請求項１６】
前記ＳＲの前記繰返しは、超高信頼低遅延通信（ＵＲＬＬＣ）の一部として送信される、
請求項１に記載の方法。
【請求項１７】
基地局におけるワイヤレス通信のための方法であって、
ユーザ機器（ＵＥ）に関連付けられたチャネル状態を識別することと、
前記チャネル状態に少なくとも部分的に基づいて前記ＵＥ用のスケジューリング要求（ＳＲ）繰返し構成を決定すること、前記ＳＲ繰返し構成は、ＵＥ固有であり、また、前記ＵＥ用のトラフィック優先度、ＵＥリンクバジェット、トラフィック待ち時間要件、またはＳＲ実行履歴のうちの１つまたは複数に少なくとも部分的に基づく、と、
前記ＳＲ繰返し構成に少なくとも部分的に基づいて、前記ＵＥ用のＳＲ繰返しパラメータを生成することと、
前記ＳＲ繰返しパラメータを前記ＵＥに送信することと
を備える、方法。
【請求項１８】
前記ＵＥによるＳＲ繰返しの最大数を示すＳＲ繰返し数を決定することをさらに備え、前記ＳＲ繰返しパラメータは、前記ＳＲ繰返し数を表す、
請求項１７に記載の方法。
【請求項１９】
前記ＵＥがＳＲの繰返しを送信するためのＳＲ繰返し周期を決定することをさらに備え、前記ＳＲ繰返しパラメータは、前記ＳＲ繰返し周期を表す、
請求項１７に記載の方法。
【請求項２０】
前記ＵＥがＳＲの繰返しを送信するための開始シンボル期間を決定することをさらに備え、前記開始シンボル期間は、ＳＲ繰返し数およびＳＲ繰返し周期に少なくとも部分的に基づき、前記ＳＲ繰返しパラメータは、前記開始シンボル期間を表す、
請求項１７に記載の方法。
【請求項２１】
前記ＳＲ繰返しパラメータは、前記ＳＲ繰返し構成のインデックスを備える、
請求項１７に記載の方法。
【請求項２２】
前記ＵＥがＳＲの繰返しを送信するための電力構成を決定することをさらに備え、前記電力構成は、前記チャネル状態に少なくとも部分的に基づき、前記ＳＲ繰返しパラメータは、前記電力構成を表す、
請求項１７に記載の方法。
【請求項２３】
前記電力構成は、ＳＲ繰返し数に少なくとも部分的に基づいて、前記ＳＲの前記繰返しを送信するための送信電力のインジケーションを含む、
請求項２２に記載の方法。
【請求項２４】
前記ＵＥがＳＲの繰返しを送信するためのＳＲリソース割振りを構成することをさらに備え、前記ＳＲ繰返しパラメータは、前記ＳＲリソース割振りを表す、
請求項１７に記載の方法。
【請求項２５】
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返し用の時間周波数リソースのセットを示す、
請求項２４に記載の方法。
【請求項２６】
前記ＳＲ繰返し構成に従って、ＳＲ応答ウィンドウの間にＳＲの繰返しを前記ＵＥから受信することと、
前記ＳＲの前記受信された繰返しの組合せに少なくとも部分的に基づいて、前記ＳＲを復号することと
をさらに備える、請求項１７に記載の方法。
【請求項２７】
前記ＳＲ繰返し構成はまた、前記ＵＥの信頼性要件、もしくは前記ＵＥの位置、またはそれらの任意の組合せに少なくとも部分的に基づく、
請求項１７に記載の方法。
【請求項２８】
前記ＳＲ繰返しパラメータは、無線リソース制御（ＲＲＣ）メッセージングを介して、または物理ダウンリンク制御チャネル（ＰＤＣＣＨ）を介して送信される、
請求項１７に記載の方法。
【請求項２９】
ワイヤレス通信のための装置であって、
ユーザ機器（ＵＥ）用のスケジューリング要求（ＳＲ）繰返しパラメータを備えるメッセージを基地局から受信するための手段、前記ＳＲ繰返しパラメータは、ＵＥ固有であり、前記ＵＥ用のトラフィック優先度、ＵＥリンクバジェット、トラフィック待ち時間要件、またはＳＲ実行履歴のうちの１つまたは複数に少なくとも部分的に基づく、と、
前記受信されたＳＲ繰返しパラメータに少なくとも部分的に基づいて、前記基地局にＳＲの繰返しを送信するための手段と
を備える、装置。
【請求項３０】
前記ＳＲ繰返しパラメータは、ＳＲ繰返しの最大数を示すＳＲ繰返し数を表す、
請求項２９に記載の装置。
【請求項３１】
前記ＳＲ繰返しパラメータは、ＳＲ繰返し周期を表す、
請求項２９に記載の装置。
【請求項３２】
前記ＳＲ繰返しパラメータは、前記ＳＲの前記繰返しの送信を開始する開始シンボル期間を表し、前記開始シンボル期間は、ＳＲ繰返し数およびＳＲ繰返し周期に少なくとも部分的に基づき、前記ＳＲの前記繰返しは、前記開始シンボル期間を使用して送信される、
請求項２９に記載の装置。
【請求項３３】
前記ＳＲ繰返しパラメータは、前記ＵＥ用のＳＲ繰返し構成のインデックスを備える、
請求項２９に記載の装置。
【請求項３４】
前記ＳＲ繰返しパラメータは、前記ＳＲの前記繰返し用の電力構成を表し、
前記電力構成に基づいて、前記ＳＲの前記繰返しを送信するための送信電力を調整するための手段をさらに備える、
請求項２９に記載の装置。
【請求項３５】
前記ＳＲの前記繰返しを送信するための前記送信電力を前記調整するための手段は、
しきい値を満たすチャネル状態を有するために、前記ＵＥによって知られているシンボル期間内で前記ＳＲの前記繰返し用の前記送信電力を増大させるための手段を備える、
請求項３４に記載の装置。
【請求項３６】
前記ＳＲ繰返しパラメータは、ＳＲ繰返し数に少なくとも部分的に基づいて、前記ＳＲの前記繰返しを送信するための前記送信電力を表す、
請求項３４に記載の装置。
【請求項３７】
前記ＳＲ繰返しパラメータは、ＳＲリソース割振りを表し、前記ＳＲの前記繰返しが、前記ＳＲリソース割振りに従って時間周波数リソースのセット上で送信される、
請求項２９に記載の装置。
【請求項３８】
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返しを送信することを表す、
請求項３７に記載の装置。
【請求項３９】
前記ＳＲの前記繰返しを前記送信するための手段は、
ＳＲ繰返しの最大数が満たされるまで、ＳＲ応答ウィンドウの間に前記ＳＲを送信するための手段を備える、
請求項２９に記載の装置。
【請求項４０】
前記ＳＲの前記繰返しを前記送信するための手段は、
前記基地局からリソース認可が受信されるまで、ＳＲ応答ウィンドウの間に前記ＳＲを送信するための手段を備える、
請求項２９に記載の装置。
【請求項４１】
前記ＳＲの前記繰返しを前記送信するための手段は、
複数のスロットまたはサブフレーム内で前記ＳＲの前記繰返しを送信するための手段を備える、
請求項２９に記載の装置。
【請求項４２】
フィードバックメッセージの送信と前記ＳＲの前記繰返しとの間の衝突を識別するための手段と、
前記フィードバックメッセージの優先度と前記ＳＲの前記繰返しの優先度とを決定するための手段と、
前記フィードバックメッセージの前記優先度および前記ＳＲの前記繰返しの前記優先度に少なくとも部分的に基づいて、前記フィードバックメッセージ、もしくは前記ＳＲの前記繰返し、または両方を送信するための手段と
をさらに備える、請求項２９に記載の装置。
【請求項４３】
前記メッセージは、無線リソース制御（ＲＲＣ）メッセージを備えるか、または物理ダウンリンク制御チャネル（ＰＤＣＣＨ）を介する、
請求項２９に記載の装置。
【請求項４４】
前記ＳＲの前記繰返しは、超高信頼低遅延通信（ＵＲＬＬＣ）の一部として送信される、
請求項２９に記載の装置。
【請求項４５】
ワイヤレス通信のための装置であって、
ユーザ機器（ＵＥ）に関連付けられたチャネル状態を識別するための手段と、
前記チャネル状態に少なくとも部分的に基づいて前記ＵＥ用のスケジューリング要求（ＳＲ）繰返し構成を決定するための手段、前記ＳＲ繰返し構成は、ＵＥ固有であり、また、前記ＵＥ用のトラフィック優先度、ＵＥリンクバジェット、トラフィック待ち時間要件、またはＳＲ実行履歴のうちの１つまたは複数に少なくとも部分的に基づく、と、
前記ＳＲ繰返し構成に少なくとも部分的に基づいて、前記ＵＥ用のＳＲ繰返しパラメータを生成するための手段と、
前記ＳＲ繰返しパラメータを前記ＵＥに送信するための手段と
を備える、装置。
【請求項４６】
前記ＵＥによるＳＲ繰返しの最大数を示すＳＲ繰返し数を決定するための手段をさらに備え、前記ＳＲ繰返しパラメータが前記ＳＲ繰返し数を表す、
請求項４５に記載の装置。
【請求項４７】
前記ＵＥがＳＲの繰返しを送信するためのＳＲ繰返し周期を決定するための手段をさらに備え、前記ＳＲ繰返しパラメータは、前記ＳＲ繰返し周期を表す、
請求項４５に記載の装置。
【請求項４８】
前記ＵＥがＳＲの繰返しを送信するための開始シンボル期間を決定するための手段をさらに備え、前記開始シンボル期間がＳＲ繰返し数およびＳＲ繰返し周期に少なくとも部分的に基づき、前記ＳＲ繰返しパラメータは、前記開始シンボル期間を表す、
請求項４５に記載の装置。
【請求項４９】
前記ＳＲ繰返しパラメータは、前記ＳＲ繰返し構成のインデックスを備える、
請求項４５に記載の装置。
【請求項５０】
前記ＵＥがＳＲの繰返しを送信するための電力構成を決定するための手段をさらに備え、前記電力構成は、前記チャネル状態に少なくとも部分的に基づき、前記ＳＲ繰返しパラメータは、前記電力構成を表す、
請求項４５に記載の装置。
【請求項５１】
前記電力構成は、ＳＲ繰返し数に少なくとも部分的に基づいて、前記ＳＲの前記繰返しを送信するための送信電力のインジケーションを含む、
請求項５０に記載の装置。
【請求項５２】
前記ＵＥがＳＲの繰返しを送信するためのＳＲリソース割振りを構成するための手段をさらに備え、前記ＳＲ繰返しパラメータは、前記ＳＲリソース割振りを表す、
請求項４５に記載の装置。
【請求項５３】
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返し用の時間周波数リソースのセットを示す、
請求項５２に記載の装置。
【請求項５４】
前記ＳＲ繰返し構成に従って、ＳＲ応答ウィンドウの間にＳＲの繰返しを前記ＵＥから受信するための手段と、
前記ＳＲの前記受信された繰返しの組合せに少なくとも部分的に基づいて、前記ＳＲを復号するための手段と
をさらに備える、請求項４５に記載の装置。
【請求項５５】
前記ＳＲ繰返し構成はまた、前記ＵＥの信頼性要件、もしくは前記ＵＥの位置、またはそれらの任意の組合せに少なくとも部分的に基づく、
請求項４５に記載の装置。
【請求項５６】
前記ＳＲ繰返しパラメータは、無線リソース制御（ＲＲＣ）メッセージングを介して、または物理ダウンリンク制御チャネル（ＰＤＣＣＨ）を介して送信される、
請求項４５に記載の装置。
【請求項５７】
ワイヤレス通信のための装置であって、
プロセッサと、
前記プロセッサと電子通信しているメモリと、
前記メモリに記憶され、前記プロセッサによって実行されると、前記装置に、
ユーザ機器（ＵＥ）用のスケジューリング要求（ＳＲ）繰返しパラメータを備えるメッセージを基地局から受信すること、前記ＳＲ繰返しパラメータがＵＥ固有であり、前記ＵＥ用のトラフィック優先度、ＵＥリンクバジェット、トラフィック待ち時間要件、またはＳＲ実行履歴のうちの１つまたは複数に少なくとも部分的に基づく、と、
前記受信されたＳＲ繰返しパラメータに少なくとも部分的に基づいて、前記基地局にＳＲの繰返しを送信することと
を行わせるように動作可能である、命令と
を備える、装置。
【請求項５８】
前記ＳＲ繰返しパラメータは、ＳＲ繰返しの最大数を示すＳＲ繰返し数を表す、
請求項５７に記載の装置。
【請求項５９】
前記ＳＲ繰返しパラメータは、ＳＲ繰返し周期を表す、
請求項５７に記載の装置。
【請求項６０】
前記ＳＲ繰返しパラメータは、前記ＳＲの前記繰返しの送信を開始する開始シンボル期間を表し、前記開始シンボル期間がＳＲ繰返し数およびＳＲ繰返し周期に少なくとも部分的に基づき、前記ＳＲの前記繰返しは、前記開始シンボル期間を使用して送信される、
請求項５７に記載の装置。
【請求項６１】
前記ＳＲ繰返しパラメータは、前記ＵＥ用のＳＲ繰返し構成のインデックスを備える、
請求項５７に記載の装置。
【請求項６２】
前記ＳＲ繰返しパラメータは、前記ＳＲの前記繰返し用の電力構成を表し、前記命令は、前記プロセッサにより、
前記電力構成に基づいて、前記ＳＲの前記繰返しを送信するための送信電力を調整することを行うようにさらに実行可能である、
請求項５７に記載の装置。
【請求項６３】
前記ＳＲの前記繰返しを送信するための前記送信電力を調整するように前記プロセッサによって実行可能な前記命令は、前記プロセッサにより、
しきい値を満たすチャネル状態を有するために、前記ＵＥによって知られているシンボル期間内で前記ＳＲの前記繰返し用の前記送信電力を増大させることを備える、前記ＳＲの前記繰返しを送信するための前記送信電力を調整することを行うように実行可能なさらなる命令を備える、
請求項６２に記載の装置。
【請求項６４】
前記ＳＲ繰返しパラメータは、ＳＲ繰返し数に少なくとも部分的に基づいて、前記ＳＲの前記繰返しを送信するための前記送信電力を表す、
請求項６２に記載の装置。
【請求項６５】
前記ＳＲ繰返しパラメータは、ＳＲリソース割振りを表し、前記ＳＲの前記繰返しが、前記ＳＲリソース割振りに従って時間周波数リソースのセット上で送信される、
請求項５７に記載の装置。
【請求項６６】
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返しを送信することを表す、
請求項６５に記載の装置。
【請求項６７】
前記ＳＲの前記繰返しを送信するように前記プロセッサによって実行可能な前記命令は、前記プロセッサにより、
ＳＲ繰返しの最大数が満たされるまで、ＳＲ応答ウィンドウの間に前記ＳＲを送信することを行うように実行可能なさらなる命令を備える、
請求項５７に記載の装置。
【請求項６８】
前記ＳＲの前記繰返しを送信するように前記プロセッサによって実行可能な前記命令は、前記プロセッサにより、
前記基地局からリソース認可が受信されるまで、ＳＲ応答ウィンドウの間に前記ＳＲを送信することを備える、前記ＳＲの前記繰返しを送信することを行うように実行可能なさらなる命令を備える、請求項５７に記載の装置。
【請求項６９】
前記ＳＲの前記繰返しを送信するように前記プロセッサによって実行可能な前記命令は、前記プロセッサにより、
複数のスロットまたはサブフレーム内で前記ＳＲの前記繰返しを送信することを備える、前記ＳＲの前記繰返しを送信することを行うように実行可能なさらなる命令を備える、
請求項５７に記載の装置。
【請求項７０】
前記命令は、前記プロセッサにより、
フィードバックメッセージの送信と前記ＳＲの前記繰返しとの間の衝突を識別することと、
前記フィードバックメッセージの優先度と前記ＳＲの前記繰返しの優先度とを決定することと、
前記フィードバックメッセージの前記優先度および前記ＳＲの前記繰返しの前記優先度に少なくとも部分的に基づいて、前記フィードバックメッセージ、もしくは前記ＳＲの前記繰返し、または両方を送信することと
を行うようにさらに実行可能である、請求項５７に記載の装置。
【請求項７１】
前記メッセージは、無線リソース制御（ＲＲＣ）メッセージを備えるか、または物理レイヤ制御チャネル（ＰＤＣＣＨ）を介する、
請求項５７に記載の装置。
【請求項７２】
前記ＳＲの前記繰返しは、超高信頼低遅延通信（ＵＲＬＬＣ）の一部として送信される、
請求項５７に記載の装置。
【請求項７３】
ワイヤレス通信のための装置であって、
プロセッサと、
前記プロセッサと電子通信しているメモリと、
前記メモリに記憶され、前記プロセッサによって実行されると、前記装置に、
ユーザ機器（ＵＥ）に関連付けられたチャネル状態を識別することと、
前記チャネル状態に少なくとも部分的に基づいて前記ＵＥ用のスケジューリング要求（ＳＲ）繰返し構成を決定すること、前記ＳＲ繰返し構成は、ＵＥ固有であり、また、前記ＵＥ用のトラフィック優先度、ＵＥリンクバジェット、トラフィック待ち時間要件、またはＳＲ実行履歴のうちの１つまたは複数に少なくとも部分的に基づく、と、
前記ＳＲ繰返し構成に少なくとも部分的に基づいて、前記ＵＥ用のＳＲ繰返しパラメータを生成することと、
前記ＳＲ繰返しパラメータを前記ＵＥに送信することと
を行わせるように動作可能である、命令と
を備える、装置。
【請求項７４】
前記命令は、前記プロセッサにより、
前記ＵＥによるＳＲ繰返しの最大数を示すＳＲ繰返し数を決定することを行うようにさらに実行可能であり、前記ＳＲ繰返しパラメータは、前記ＳＲ繰返し数を表す、
請求項７３に記載の装置。
【請求項７５】
前記命令は、前記プロセッサにより、
前記ＵＥがＳＲの繰返しを送信するためのＳＲ繰返し周期を決定することを行うようにさらに実行可能であり、前記ＳＲ繰返しパラメータは、前記ＳＲ繰返し周期を表す、
請求項７３に記載の装置。
【請求項７６】
前記命令は、前記プロセッサにより、
前記ＵＥがＳＲの繰返しを送信するための開始シンボル期間を決定することを行うようにさらに実行可能であり、前記開始シンボル期間がＳＲ繰返し数およびＳＲ繰返し周期に少なくとも部分的に基づき、前記ＳＲ繰返しパラメータが前記開始シンボル期間を表す、
請求項７３に記載の装置。
【請求項７７】
前記ＳＲ繰返しパラメータは、前記ＳＲ繰返し構成のインデックスを備える、
請求項７３に記載の装置。
【請求項７８】
前記命令は、前記プロセッサにより、
前記ＵＥがＳＲの繰返しを送信するための電力構成を決定することを行うようによってさらに実行可能であり、前記電力構成は、前記チャネル状態に少なくとも部分的に基づき、前記ＳＲ繰返しパラメータは、前記電力構成を表す、
請求項７３に記載の装置。
【請求項７９】
前記電力構成は、ＳＲ繰返し数に少なくとも部分的に基づいて、前記ＳＲの前記繰返しを送信するための送信電力のインジケーションを含む、
請求項７８に記載の装置。
【請求項８０】
前記命令は、前記プロセッサにより、
前記ＵＥがＳＲの繰返しを送信するためのＳＲリソース割振りを構成することを行うようにさらに実行可能であり、前記ＳＲ繰返しパラメータは、前記ＳＲリソース割振りを表す、
請求項７３に記載の装置。
【請求項８１】
前記ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、前記ＳＲの前記繰返し用の時間周波数リソースのセットを表す、
請求項８０に記載の装置。
【請求項８２】
前記命令は、前記プロセッサにより、
前記ＳＲ繰返し構成に従って、ＳＲ応答ウィンドウの間にＳＲの繰返しを前記ＵＥから受信することと、
前記ＳＲの前記受信された繰返しの組合せに少なくとも部分的に基づいて、前記ＳＲを復号することと
を行うようにさらに実行可能である、請求項７３に記載の装置。
【請求項８３】
前記ＳＲ繰返し構成はまた、前記ＵＥの信頼性要件、もしくは前記ＵＥの位置、またはそれらの任意の組合せに少なくとも部分的に基づく、
請求項７３に記載の装置。
【請求項８４】
前記ＳＲ繰返しパラメータは、無線リソース制御（ＲＲＣ）メッセージングを介して、または物理ダウンリンク制御チャネル（ＰＤＣＣＨ）を介して送信される、
請求項７３に記載の装置。
【請求項８５】
ワイヤレス通信のためのコードを記憶する非一時的コンピュータ可読媒体であって、前記コードは、
ユーザ機器（ＵＥ）用のスケジューリング要求（ＳＲ）繰返しパラメータを備えるメッセージを基地局から受信すること、前記ＳＲ繰返しパラメータは、ＵＥ固有であり、前記ＵＥ用のトラフィック優先度、ＵＥリンクバジェット、トラフィック待ち時間要件、またはＳＲ実行履歴のうちの１つまたは複数に少なくとも部分的に基づく、と、
前記受信されたＳＲ繰返しパラメータに少なくとも部分的に基づいて、前記基地局にＳＲの繰返しを送信することと
を行うようにプロセッサによって実行可能な命令を備える、非一時的コンピュータ可読媒体。
【請求項８６】
ワイヤレス通信のためのコードを記憶する非一時的コンピュータ可読媒体であって、前記コードは、プロセッサにより、
ユーザ機器（ＵＥ）に関連付けられたチャネル状態を識別することと、
前記チャネル状態に少なくとも部分的に基づいて前記ＵＥ用のスケジューリング要求（ＳＲ）繰返し構成を決定すること、前記ＳＲ繰返し構成は、ＵＥ固有であり、また、前記ＵＥ用のトラフィック優先度、ＵＥリンクバジェット、トラフィック待ち時間要件、またはＳＲ実行履歴のうちの１つまたは複数に少なくとも部分的に基づく、と、
前記ＳＲ繰返し構成に少なくとも部分的に基づいて、前記ＵＥ用のＳＲ繰返しパラメータを生成することと、
前記ＳＲ繰返しパラメータを前記ＵＥに送信することと
を行うように実行可能な命令を備える、非一時的コンピュータ可読媒体。
【発明の詳細な説明】
【相互参照】
【０００１】
[0001]本特許出願は、各々が本出願の譲受人に譲渡された、２０１８年９月２１日に出願された、「Ｕｓｅｒ  Ｅｑｕｉｐｍｅｎｔ−Ｓｐｅｃｉｆｉｃ  Ｓｃｈｅｄｕｌｉｎｇ  Ｒｅｑｕｅｓｔ  Ｒｅｐｅｔｉｔｉｏｎｓ」と題する、Ｌｉらによる米国特許出願第１６／１３７，８４０号、および２０１７年９月２５日に出願された、「Ｕｓｅｒ  Ｅｑｕｉｐｍｅｎｔ−Ｓｐｅｃｉｆｉｃ  Ｓｃｈｅｄｕｌｉｎｇ  Ｒｅｑｕｅｓｔ  Ｒｅｐｅｔｉｔｉｏｎｓ」と題する、Ｌｉらによる米国仮特許出願第６２／５６３，０１１号の優先権を主張する。
【背景技術】
【０００２】
[0002]以下は、一般に、ワイヤレス通信に関し、より詳細には、ユーザ機器（ＵＥ）固有のスケジューリング要求（ＳＲ）の繰返し（たとえば、再送信）に関する。
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することにより、複数のユーザとの通信をサポートすることが可能であり得る。そのような多元接続システムの例には、ロングタームエボリューション（ＬＴＥ（登録商標））システムまたはＬＴＥアドバンスト（ＬＴＥ−Ａ）システムなどの第４世代（４Ｇ）システム、および新無線（ＮＲ）システムと呼ばれ得る第５世代（５Ｇ）システムが含まれる。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡張ＯＦＤＭ（ＤＦＴ−Ｓ−ＯＦＤＭ）などの技術を採用し得る。ワイヤレス多元接続通信システムは、場合によってはＵＥとして知られ得る、複数の通信デバイスのための通信を各々が同時にサポートする、いくつかの基地局またはアクセスネットワークノードを含み得る。
【０００４】
[0004]いくつかのワイヤレス通信システムでは、ＵＥは、アップリンク送信用のリソースを要求するために基地局にＳＲを送信し得る。ＳＲは、データが送信に利用可能になるとトリガされ得る。いくつかのケースでは、ＵＥは、ＳＲ送信のために基地局によって指定された周期的な開始時間にＳＲを送信するために待ってもよい。しかしながら、高信頼性要件および低遅延要件を有するワイヤレス通信システム（たとえば、超高信頼低遅延通信（ＵＲＬＬＣ））では、より頻繁にＳＲを送信するためのより効率的な技法が望ましい場合がある。
【発明の概要】
【０００５】
[0005]記載される技法は、ユーザ機器（ＵＥ）固有のスケジューリング要求（ＳＲ）の繰返し（たとえば、再送信）をサポートする、改善された方法、システム、デバイス、または装置に関する。一般に、記載される技法は、待ち時間が短縮され、信頼性が向上するような瞬時ＳＲ（instantaneous SR）の送信を可能にするＳＲ繰返し構成を提供する。たとえば、ＳＲ繰返し構成は、ＳＲ繰返し数、ＳＲ繰返し周期、ＳＲの繰返しを送信する開始シンボル期間、ＳＲの繰返しを送信する電力構成、ＳＲの繰返しを送信するＳＲリソース割振りの構成、またはそれらの組合せを含み得る。いくつかのケースでは、ＳＲ繰返し構成を表すためにＳＲ繰返しパラメータが生成され得る。たとえば、ＳＲ繰返しパラメータは、ＳＲ繰返し構成の様々なパラメータを表し得る。追加または代替として、ＳＲ繰返しパラメータは、ＳＲ繰返し構成のインデックスを含み得る。いくつかのケースでは、ＳＲ繰返し構成およびＳＲ繰返しパラメータは、ＵＥに固有であり得る。たとえば、ＳＲ繰返し構成およびＳＲ繰返しパラメータは、ＵＥ用のトラフィック優先度、ＵＥリンクバジェット、ＵＥの待ち時間要件、ＵＥの信頼性要件、ＵＥのＳＲ実行履歴、ＵＥの位置、またはそれらの組合せに基づき得る。
【０００６】
[0006]基地局は、ＵＥ固有のＳＲ繰返し構成を決定し、ＳＲ繰返し構成に基づいてＳＲ繰返しパラメータを生成し、ＳＲ繰返しパラメータをＵＥに送信し得る。いくつかのケースでは、ＵＥは、超高信頼低遅延通信（ＵＲＬＬＣ）の一部として、ＳＲの繰返しを送信し得る。いくつかのケースでは、ＵＥは、ＳＲ繰返しの最大数がＳＲ繰返しパラメータによって示されたように満たされるまで、ＳＲ応答ウィンドウの間にＳＲを送信し得る。追加または代替として、ＵＥは、基地局からリソース認可が受信されるまで、ＳＲ応答ウィンドウの間にＳＲを送信し得る。
【０００７】
[0007]ワイヤレス通信の方法が記載される。方法は、ＵＥ用のＳＲ繰返しパラメータを備えるメッセージを基地局から受信することと、受信されたＳＲ繰返しパラメータに基づいて、基地局にＳＲの繰返しを送信することとを含み得る。ＳＲ繰返しパラメータはＵＥ固有であり得、ＵＥ用のトラフィック優先度、ＵＥリンクバジェット、トラフィック待ち時間要件、またはＳＲ実行履歴のうちの１つまたは複数に少なくとも部分的に基づき得る。
【０００８】
[0008]ワイヤレス通信のための装置が記載される。装置は、ＵＥ用のＳＲ繰返しパラメータを備えるメッセージを基地局から受信するための手段と、受信されたＳＲ繰返しパラメータに基づいて、基地局にＳＲの繰返しを送信するための手段とを含み得る。ＳＲ繰返しパラメータはＵＥ固有であり得、ＵＥ用のトラフィック優先度、ＵＥリンクバジェット、トラフィック待ち時間要件、またはＳＲ実行履歴のうちの１つまたは複数に少なくとも部分的に基づき得る。
【０００９】
[0009]ワイヤレス通信のための別の装置が記載される。装置は、プロセッサと、プロセッサと電子通信しているメモリと、メモリに記憶された命令とを含み得る。命令は、ＵＥ用のＳＲ繰返しパラメータを備えるメッセージを基地局から受信することと、受信されたＳＲ繰返しパラメータに基づいて、基地局にＳＲの繰返しを送信することとをプロセッサに行わせるように動作可能であり得る。ＳＲ繰返しパラメータはＵＥ固有であり得、ＵＥ用のトラフィック優先度、ＵＥリンクバジェット、トラフィック待ち時間要件、またはＳＲ実行履歴のうちの１つまたは複数に少なくとも部分的に基づき得る。
【００１０】
[0010]ワイヤレス通信のための非一時的コンピュータ可読媒体が記載される。非一時的コンピュータ可読媒体は、ＵＥ用のＳＲ繰返しパラメータを備えるメッセージを基地局から受信することと、受信されたＳＲ繰返しパラメータに基づいて、基地局にＳＲの繰返しを送信することとをプロセッサに行わせるように動作可能な命令を含み得る。ＳＲ繰返しパラメータはＵＥ固有であり得、ＵＥ用のトラフィック優先度、ＵＥリンクバジェット、トラフィック待ち時間要件、またはＳＲ実行履歴のうちの１つまたは複数に少なくとも部分的に基づき得る。
【００１１】
[0011]上述された方法、装置、および非一時的コンピュータ可読媒体のいくつかの例では、ＳＲ繰返しパラメータは、ＳＲ繰返しの最大数を表すＳＲ繰返し数を表し得る。
【００１２】
[0012]上述された方法、装置、および非一時的コンピュータ可読媒体のいくつかの例では、ＳＲ繰返しパラメータは、ＳＲ繰返し周期を表し得る。
【００１３】
[0013]上述された方法、装置、および非一時的コンピュータ可読媒体のいくつかの例では、ＳＲ繰返しパラメータは、ＳＲの繰返しの送信を開始する開始シンボル期間を表し得、開始シンボル期間はＳＲ繰返し数およびＳＲ繰返し周期に基づき、ＳＲの繰返しは開始シンボル期間を使用して送信され得る。
【００１４】
[0014]上述された方法、装置、および非一時的コンピュータ可読媒体のいくつかの例では、ＳＲ繰返しパラメータは、ＵＥ用のＳＲ繰返し構成のインデックスを含み得る。
【００１５】
[0015]上述された方法、装置、および非一時的コンピュータ可読媒体のいくつかの例は、電力構成に基づいてＳＲの繰返しを送信するための送信電力を調整するためのプロセス、特徴、手段、または命令をさらに含み得る。
【００１６】
[0016]上述された方法、装置、および非一時的コンピュータ可読媒体のいくつかの例では、ＳＲの繰返しを送信するための送信電力を調整することは、しきい値を満たすチャネル状態を有し得るとＵＥによって知られているシンボル期間内でＳＲの繰返し用の送信電力を増大させることを含む。
【００１７】
[0017]上述された方法、装置、および非一時的コンピュータ可読媒体のいくつかの例では、ＳＲ繰返しパラメータは、ＳＲ繰返し数に基づいてＳＲの繰返しを送信するための送信電力を表し得る。
【００１８】
[0018]上述された方法、装置、および非一時的コンピュータ可読媒体のいくつかの例では、ＳＲ繰返しパラメータは、ＳＲリソース割振りを表し得、ＳＲの繰返しは、ＳＲリソース割振りに従って時間周波数リソースのセット上で送信され得る。
【００１９】
[0019]上述された方法、装置、および非一時的コンピュータ可読媒体のいくつかの例では、ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、ＳＲの繰返しを送信することを表し得る。
【００２０】
[0020]上述された方法、装置、および非一時的コンピュータ可読媒体のいくつかの例では、ＳＲの繰返しを送信することは、ＳＲ繰返しの最大数が満たされ得るまで、ＳＲ応答ウィンドウの間にＳＲを送信することを含む。
【００２１】
[0021]上述された方法、装置、および非一時的コンピュータ可読媒体のいくつかの例では、ＳＲの繰返しを送信することは、基地局からリソース認可が受信され得るまで、ＳＲ応答ウィンドウの間にＳＲを送信することを含む。
【００２２】
[0022]上述された方法、装置、および非一時的コンピュータ可読媒体のいくつかの例では、ＳＲの繰返しを送信することは、複数のスロットまたはサブフレーム内でＳＲの繰返しを送信することを含む。
【００２３】
[0023]上述された方法、装置、および非一時的コンピュータ可読媒体のいくつかの例は、フィードバックメッセージの送信とＳＲの繰返しとの間の衝突を識別するためのプロセス、特徴、手段、または命令をさらに含み得る。上述された方法、装置、および非一時的コンピュータ可読媒体のいくつかの例は、フィードバックメッセージの優先度とＳＲの繰返しの優先度とを決定するためのプロセス、特徴、手段、または命令をさらに含み得る。上述された方法、装置、および非一時的コンピュータ可読媒体のいくつかの例は、フィードバックメッセージの優先度およびＳＲの繰返しの優先度に基づいて、フィードバックメッセージまたはＳＲの繰返しまたは両方を送信するためのプロセス、特徴、手段、または命令をさらに含み得る。
【００２４】
[0024]上述された方法、装置、および非一時的コンピュータ可読媒体のいくつかの例では、メッセージは、無線リソース制御（ＲＲＣ）メッセージを含むか、または物理ダウンリンク制御チャネル（ＰＤＣＣＨ）を介する。
【００２５】
[0025]上述された方法、装置、および非一時的コンピュータ可読媒体のいくつかの例では、ＳＲの繰返しはＵＲＬＬＣの一部として送信され得る。
【００２６】
[0026]ワイヤレス通信の方法が記載される。方法は、ＵＥに関連付けられたチャネル状態を識別することと、チャネル状態に基づいてＵＥ用のＳＲ繰返し構成を決定することと、ＳＲ繰返し構成に基づいてＵＥ用のＳＲ繰返しパラメータを生成することと、ＳＲ繰返しパラメータをＵＥに送信することとを含み得る。ＳＲ繰返し構成はＵＥ固有であり得、また、ＵＥ用のトラフィック優先度、ＵＥリンクバジェット、トラフィック待ち時間要件、またはＳＲ実行履歴のうちの１つまたは複数に少なくとも部分的に基づき得る。
【００２７】
[0027]ワイヤレス通信のための装置が記載される。装置は、ＵＥに関連付けられたチャネル状態を識別するための手段と、チャネル状態に基づいてＵＥ用のＳＲ繰返し構成を決定するための手段と、ＳＲ繰返し構成に基づいてＵＥ用のＳＲ繰返しパラメータを生成するための手段と、ＳＲ繰返しパラメータをＵＥに送信するための手段とを含み得る。ＳＲ繰返し構成はＵＥ固有であり得、また、ＵＥ用のトラフィック優先度、ＵＥリンクバジェット、トラフィック待ち時間要件、またはＳＲ実行履歴のうちの１つまたは複数に少なくとも部分的に基づき得る。
【００２８】
[0028]ワイヤレス通信のための別の装置が記載される。装置は、プロセッサと、プロセッサと電子通信しているメモリと、メモリに記憶された命令とを含み得る。命令は、ＵＥに関連付けられたチャネル状態を識別することと、チャネル状態に基づいてＵＥ用のＳＲ繰返し構成を決定することと、ＳＲ繰返し構成に基づいてＵＥ用のＳＲ繰返しパラメータを生成することと、ＳＲ繰返しパラメータをＵＥに送信することとをプロセッサに行わせるように動作可能であり得る。ＳＲ繰返し構成はＵＥ固有であり得、また、ＵＥ用のトラフィック優先度、ＵＥリンクバジェット、トラフィック待ち時間要件、またはＳＲ実行履歴のうちの１つまたは複数に少なくとも部分的に基づき得る。
【００２９】
[0029]ワイヤレス通信のための非一時的コンピュータ可読媒体が記載される。非一時的コンピュータ可読媒体は、ＵＥに関連付けられたチャネル状態を識別することと、チャネル状態に基づいてＵＥ用のＳＲ繰返し構成を決定することと、ＳＲ繰返し構成に基づいてＵＥ用のＳＲ繰返しパラメータを生成することと、ＳＲ繰返しパラメータをＵＥに送信することとをプロセッサに行わせるように動作可能な命令を含み得る。ＳＲ繰返し構成はＵＥ固有であり得、また、ＵＥ用のトラフィック優先度、ＵＥリンクバジェット、トラフィック待ち時間要件、またはＳＲ実行履歴のうちの１つまたは複数に少なくとも部分的に基づき得る。
【００３０】
[0030]上述された方法、装置、および非一時的コンピュータ可読媒体のいくつかの例は、ＵＥによりＳＲ繰返しの最大数を示すＳＲ繰返し数を決定するためのプロセス、特徴、手段、または命令をさらに含んでよく、ＳＲ繰返しパラメータはＳＲ繰返し数を表し得る。
【００３１】
[0031]上述された方法、装置、および非一時的コンピュータ可読媒体のいくつかの例は、ＵＥがＳＲの繰返しを送信するためのＳＲ繰返し周期を決定するためのプロセス、特徴、手段、または命令をさらに含んでよく、ＳＲ繰返しパラメータはＳＲ繰返し周期を表し得る。
【００３２】
[0032]上述された方法、装置、および非一時的コンピュータ可読媒体のいくつかの例は、ＵＥがＳＲの繰返しを送信するための開始シンボル期間を決定するためのプロセス、特徴、手段、または命令をさらに含んでよく、開始シンボル期間はＳＲ繰返し数およびＳＲ繰返し周期に基づき、ＳＲ繰返しパラメータは開始シンボル期間を表し得る。
【００３３】
[0033]上述された方法、装置、および非一時的コンピュータ可読媒体のいくつかの例では、ＳＲ繰返しパラメータはＳＲ繰返し構成のインデックスを含む。
【００３４】
[0034]上述された方法、装置、および非一時的コンピュータ可読媒体のいくつかの例は、ＵＥがＳＲの繰返しを送信するための電力構成を決定するためのプロセス、特徴、手段、または命令をさらに含んでよく、電力構成はチャネル状態に基づき、ＳＲ繰返しパラメータは電力構成を表し得る。
【００３５】
[0035]上述された方法、装置、および非一時的コンピュータ可読媒体のいくつかの例では、電力構成は、ＳＲ繰返し数に基づいてＳＲの繰返しを送信するための送信電力のインジケーションを含む。
【００３６】
[0036]上述された方法、装置、および非一時的コンピュータ可読媒体のいくつかの例は、ＵＥがＳＲの繰返しを送信するためのＳＲリソース割振りを構成するためのプロセス、特徴、手段、または命令をさらに含んでよく、ＳＲ繰返しパラメータはＳＲリソース割振りを表し得る。
【００３７】
[0037]上述された方法、装置、および非一時的コンピュータ可読媒体のいくつかの例では、ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、ＳＲの繰返し用の時間周波数リソースのセットを示す。
【００３８】
[0038]上述された方法、装置、および非一時的コンピュータ可読媒体のいくつかの例は、ＳＲ繰返し構成に従ってＳＲ応答ウィンドウの間にＳＲの繰返しをＵＥから受信するためのプロセス、特徴、手段、または命令をさらに含み得る。上述された方法、装置、および非一時的コンピュータ可読媒体のいくつかの例は、受信されたＳＲの繰返しの組合せに基づいてＳＲを復号するためのプロセス、特徴、手段、または命令をさらに含み得る。
【００３９】
[0039]上述された方法、装置、および非一時的コンピュータ可読媒体のいくつかの例では、ＳＲ繰返し構成はまた、ＵＥの信頼性要件、もしくはＵＥの位置、またはそれらの任意の組合せに基づき得る。
【００４０】
[0040]上述された方法、装置、および非一時的コンピュータ可読媒体のいくつかの例では、ＳＲ繰返しパラメータは、ＲＲＣメッセージングを介して、またはＰＤＣＣＨを介して送信され得る。
【図面の簡単な説明】
【００４１】
【図１】[0041]本開示の態様による、ユーザ機器（ＵＥ）固有のスケジューリング要求（ＳＲ）の繰返し（たとえば、再送信）をサポートするワイヤレス通信のためのシステムの一例を例示する図。
【図２】[0042]本開示の態様による、ＵＥ固有のＳＲの繰返し（たとえば、再送信）をサポートするワイヤレス通信システムの一例を例示する図。
【図３Ａ】[0043]本開示の態様による、ＵＥ固有のＳＲの繰返し（たとえば、再送信）をサポートするＳＲ繰返しリソース割振り構成の一例を例示する図。
【図３Ｂ】本開示の態様による、ＵＥ固有のＳＲの繰返し（たとえば、再送信）をサポートするＳＲ繰返しリソース割振り構成の一例を例示する図。
【図３Ｃ】本開示の態様による、ＵＥ固有のＳＲの繰返し（たとえば、再送信）をサポートするＳＲ繰返しリソース割振り構成の一例を例示する図。
【図４】[0044]本開示の態様による、ＵＥ固有のＳＲの繰返し（たとえば、再送信）をサポートするプロセスフローの一例を例示する図。
【図５】[0045]本開示の態様による、ＵＥ固有のＳＲの繰返し（たとえば、再送信）をサポートするデバイスのブロック図。
【図６】本開示の態様による、ＵＥ固有のＳＲの繰返し（たとえば、再送信）をサポートするデバイスのブロック図。
【図７】本開示の態様による、ＵＥ固有のＳＲの繰返し（たとえば、再送信）をサポートするデバイスのブロック図。
【図８】[0046]本開示の態様による、ＵＥ固有のＳＲの繰返し（たとえば、再送信）をサポートするＵＥを含むシステムのブロック図。
【図９】[0047]本開示の態様による、ＵＥ固有のＳＲの繰返し（たとえば、再送信）をサポートするデバイスのブロック図。
【図１０】本開示の態様による、ＵＥ固有のＳＲの繰返し（たとえば、再送信）をサポートするデバイスのブロック図。
【図１１】本開示の態様による、ＵＥ固有のＳＲの繰返し（たとえば、再送信）をサポートするデバイスのブロック図。
【図１２】[0048]本開示の態様による、ＵＥ固有のＳＲの繰返し（たとえば、再送信）をサポートする基地局を含むシステムのブロック図。
【図１３】[0049]本開示の態様による、ＵＥ固有のＳＲの繰返し（たとえば、再送信）のための方法を例示する図。
【図１４】本開示の態様による、ＵＥ固有のＳＲの繰返し（たとえば、再送信）のための方法を例示する図。
【図１５】本開示の態様による、ＵＥ固有のＳＲの繰返し（たとえば、再送信）のための方法を例示する図。
【図１６】本開示の態様による、ＵＥ固有のＳＲの繰返し（たとえば、再送信）のための方法を例示する図。
【図１７】本開示の態様による、ＵＥ固有のＳＲの繰返し（たとえば、再送信）のための方法を例示する図。
【図１８】本開示の態様による、ＵＥ固有のＳＲの繰返し（たとえば、再送信）のための方法を例示する図。
【発明を実施するための形態】
【００４２】
[0050]ユーザ機器（ＵＥ）は、アップリンク送信用のリソースを要求するスケジューリング要求（ＳＲ）メッセージを基地局に送信し得る。ＳＲは、ＵＥにおけるイベント（たとえば、バッファステータスレポート（ＢＳＲ）内の変化、または論理チャネルグループからのアップリンクデータ到達）に応答し得る。いくつかの例では、ＳＲは１つまたは複数のビットを使用してリソースに対する要求を伝達し得る。ＳＲが送信され、基地局によって受信されると、基地局は、アップリンク認可（たとえば、ダウンリンク制御情報（ＤＣＩ））を送信することができ、ＵＥは、アップリンク認可に応答して物理アップリンク共有チャネル（ＰＵＳＣＨ）内でメッセージを送信し得る。いくつかのケースでは、基地局は、ＳＲを送信するために、無線リソース制御（ＲＲＣ）メッセージングを介してＵＥにＳＲ構成を通知し得る。構成は、ＵＥがＳＲを送信し得る周期的な開始時間を示す開始点を含み得る。さらに、構成は、ＵＥが基地局からの応答（たとえば、アップリンク認可）を待つＳＲ応答ウィンドウを含み得る。ＵＥがウィンドウ内に応答を受信しなかった場合、ＵＥはＳＲを再送信し得る。
【００４３】
[0051]いくつかのケースでは、基地局およびＵＥは、デバイス間の高信頼性および低遅延を要求する通信システム（たとえば、超高信頼低遅延通信（ＵＲＬＬＣ））において動作し得る。そのような通信システムでは、ＵＥは、ＳＲを送信するための周期的な開始時間を待つのではなく、新しいデータパケットによってＢＳＲがトリガされたときに瞬時ＳＲを送信し得る。さらに、本明細書に記載されたように、基地局は、基地局がＳＲの検出を見逃す機会を減らし、応答ウィンドウの最後まで待ってＳＲを再送信する必要をなくすためにＵＥが利用し得る、ＵＥ固有のＳＲ繰返し構成を通知し得る。ＵＥは、繰返しの数もしくは繰返しの時間期間が満たされるか、または基地局からアップリンク認可が受信されるまで、ＳＲを繰り返し送信し得る。基地局は、トラフィック優先度、ＵＥリンクバジェット、待ち時間要件、要件履歴などのＵＥ固有の条件に基づいて、ＵＥ固有のＳＲ繰返し構成を決定し得る。いくつかのケースでは、基地局は、利用可能なＳＲ構成のテーブルからＵＥ固有のＳＲ繰返し構成を選択し、選択されたＵＥ固有のＳＲ構成に対応するインデックスをＵＥに通知し得る。基地局は、半永続的シグナリング（たとえば、ＲＲＣメッセージング）内で、または動的シグナリング（たとえば、物理ダウンリンク制御チャネル（ＰＤＣＣＨ））内でＵＥ固有のＳＲ構成を送信し得る。
【００４４】
[0052]ＳＲ繰返し構成は、繰返し設定、電力設定、リソース割振り、および肯定応答／否定応答（ＡＣＫ／ＮＡＣＫ）プロシージャを含む、いくつかのパラメータを含み得る。繰返し設定パラメータは、ＳＲ用の繰返しの数、繰返し用の時間期間、繰返し用の開始点、またはそれらの組合せを含み得る。電力設定は、チャネル状態に基づくか、または待ち期間要件に基づくＳＲの特定の繰返しへの電力ブーストを含み得る。リソース割振りパラメータは、時間周波数領域内のどのリソース上でＳＲ繰返しを送信するかを含み得る。ＡＣＫ／ＮＡＣＫプロシージャパラメータは、ＳＲと同じシンボル内でＡＣＫ／ＮＡＣＫフィードバックを送信する必要があるときにＵＥがどのように応答するべきかのインジケーションを含み得る。
【００４５】
[0053]本開示の態様は、初めにワイヤレス通信システムとの関連で記載される。次いで、ＳＲ繰返し構成およびプロセスフローの例が記載される。本開示の態様は、ＵＥ固有のスケジューリング要求の繰返し（たとえば、再送信）に関する装置図、システム図、およびフローチャートによってさらに例示され、それらを参照して記載される。
【００４６】
[0054]図１は、本開示の様々な態様による、ワイヤレス通信システム１００の一例を例示する。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）ネットワーク、ＬＴＥアドバンスト（ＬＴＥ−Ａ）ネットワーク、または新無線（ＮＲ）ネットワークであり得る。いくつかのケースでは、ワイヤレス通信システム１００は、拡張ブロードバンド通信、超高信頼（すなわち、ミッションクリティカル）通信、低遅延通信、または低コストおよび低複雑度デバイスを用いる通信（たとえば、ＵＲＬＬＣ）をサポートし得る。
【００４７】
[0055]基地局１０５は、１つまたは複数の基地局アンテナを介してＵＥ１１５とワイヤレスに通信し得る。本明細書に記載された基地局１０５は、基地トランシーバ局、無線基地局、アクセスポイント、無線トランシーバ、ノードＢ、ｅノードＢ（ｅＮＢ）、次世代ノードＢもしくはギガノードＢ（それらのどちらもｇＮＢと呼ばれ得る）、ホームノードＢ、ホームｅノードＢ、または何らかの他の適切な用語を含み得るか、または当業者によってそのように呼ばれ得る。ワイヤレス通信システム１００は、異なるタイプの基地局１０５（たとえば、マクロセル基地局またはスモールセル基地局）を含み得る。本明細書に記載されたＵＥ１１５は、マクロｅＮＢ、スモールセルｅＮＢ、ｇＮＢ、リレー基地局などを含む、様々なタイプの基地局１０５およびネットワーク機器と通信することが可能であり得る。
【００４８】
[0056]各基地局１０５は、様々なＵＥ１１５との通信がサポートされる特定の地理的カバレージエリア１１０と関連付けられ得る。各基地局１０５は、通信リンク１２５を介してそれぞれの地理的カバレージエリア１１０に通信カバレージを提供することができ、基地局１０５とＵＥ１１５との間の通信リンク１２５は、１つまたは複数のキャリアを利用し得る。ワイヤレス通信システム１００に示された通信リンク１２５は、ＵＥ１１５から基地局１０５へのアップリンク送信、または基地局１０５からＵＥ１１５へのダウンリンク送信を含み得る。ダウンリンク送信は順方向リンク送信と呼ばれ得る一方、アップリンク送信は逆方向リンク送信と呼ばれ得る。
【００４９】
[0057]基地局１０５のための地理的カバレージエリア１１０は、地理的カバレージエリア１１０の一部分のみを構成するセクタに分割され得、各セクタはセルと関連付けられ得る。たとえば、各基地局１０５は、マクロセル、スモールセル、ホットスポット、もしくは他のタイプのセル、またはそれらの様々な組合せに通信カバレージを提供し得る。いくつかの例では、基地局１０５は移動可能であり得、したがって、移動する地理的カバレージエリア１１０に通信カバレージを提供し得る。いくつかの例では、異なる技術に関連付けられた異なる地理的カバレージエリア１１０は重複し得、異なる技術に関連付けられた重複する地理的カバレージエリア１１０は、同じ基地局１０５によって、または異なる基地局１０５によってサポートされ得る。ワイヤレス通信システム１００は、たとえば、異なるタイプの基地局１０５が様々な地理的カバレージエリア１１０にカバレージを提供する、異種ＬＴＥ／ＬＴＥ−ＡまたはＮＲネットワークを含み得る。
【００５０】
[0058]「セル」という用語は、（たとえば、キャリア上の）基地局１０５との通信に使用される論理通信エンティティを指し、同じかまたは異なるキャリアを介して動作する隣接セルを区別するための識別子（たとえば、物理セル識別子（ＰＣＩＤ）、仮想セル識別子（ＶＣＩＤ））と関連付けられ得る。いくつかの例では、キャリアは複数のセルをサポートし得、様々なタイプのデバイスにアクセスを提供し得る様々なプロトコルタイプ（たとえば、マシンタイプ通信（ＭＴＣ）、狭帯域モノのインターネット（ＮＢ−ＩｏＴ）、拡張モバイルブロードバンド（ｅＭＢＢ）など）に従って、様々なセルが構成され得る。いくつかのケースでは、「セル」という用語は、その上で論理エンティティが動作する地理的カバレージエリア１１０（たとえば、セクタ）の一部分を指し得る。
【００５１】
[0059]ＵＥ１１５は、ワイヤレス通信システム１００全体にわたって分散され得、各ＵＥ１１５は固定型または移動型であり得る。ＵＥ１１５は、モバイルデバイス、ワイヤレスデバイス、リモートデバイス、ハンドヘルドデバイス、もしくは加入者デバイス、または何らかの他の適切な用語で呼ばれ得、「デバイス」は、ユニット、局、端末、またはクライアントと呼ばれ得る。ＵＥ１１５は、携帯電話、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５は、ワイヤレスローカルループ（ＷＬＬ）局、モノのインターネット（ＩｏＴ）デバイス、あらゆるモノのインターネット（ＩｏＥ）デバイス、またはＭＴＣデバイスなどと呼ばれ得、それらは、アプライアンス、車両、メータなどの様々な物品にインプリメントされ得る。
【００５２】
[0060]ＭＴＣデバイスまたはＩｏＴデバイスなどのいくつかのＵＥ１１５は、低コストまたは低複雑度のデバイスであり得、（たとえば、機械間（Ｍ２Ｍ）通信を介する）機械間の自動通信を提供することできる。Ｍ２Ｍ通信またはＭＴＣは、デバイスが人間の介入なしに、互いにまたは基地局１０５と通信することを可能にするデータ通信技術を指し得る。いくつかの例では、Ｍ２Ｍ通信またはＭＴＣは、情報を測定またはキャプチャするためにセンサまたはメータを組み込み、情報を利用し得る中央サーバもしくはアプリケーションプログラムにその情報を中継するか、またはプログラムもしくはアプリケーションとインタラクトする人間に情報を提示するデバイスからの通信を含み得る。いくつかのＵＥ１１５は、情報を収集するか、または機械の自動化動作を可能にするように設計され得る。ＭＴＣデバイス用のアプリケーションの例には、スマートメータリング、在庫監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネス課金が含まれる。
【００５３】
[0061]いくつかのＵＥ１１５は、半二重通信（たとえば、送信または受信を介する一方向の通信をサポートするが、送信および受信を同時にサポートしないモード）などの、電力消費を低減する動作モードを採用するように構成され得る。いくつかの例では、半二重通信は低減されたピークレートで実行され得る。ＵＥ１１５のための他の電力節約技法には、アクティブ通信に従事していないときに電力節約「ディープスリープ」モードに入ること、または（たとえば、狭帯域通信に従って）制限された帯域幅上で動作することが含まれる。いくつかのケースでは、ＵＥ１１５は、重要な機能（たとえば、ミッションクリティカル機能）をサポートするように設計され得、ワイヤレス通信システム１００は、これらの機能のための超高信頼通信を提供するように構成され得る。
【００５４】
[0062]いくつかのケースでは、ＵＥ１１５は、（たとえば、ピアツーピア（Ｐ２Ｐ）またはデバイス間（Ｄ２Ｄ）のプロトコルを使用して）他のＵＥ１１５と直接通信することも可能であり得る。Ｄ２Ｄ通信を利用するＵＥ１１５のグループのうちの１つまたは複数は、基地局１０５の地理的カバレージエリア１１０内にあり得る。そのようなグループ内の他のＵＥ１１５は、基地局１０５の地理的カバレージエリア１１０外にいる得か、またはさもなければ基地局１０５からの送信を受信することができない。いくつかのケースでは、Ｄ２Ｄ通信を介して通信するＵＥ１１５のグループは、各ＵＥ１１５がグループ内のあらゆる他のＵＥ１１５に送信する１対多（１：Ｍ）システムを利用し得る。いくつかのケースでは、基地局１０５は、Ｄ２Ｄ通信のためのリソースのスケジューリングを容易にする。他の場合には、Ｄ２Ｄ通信は、基地局１０５の関与なしにＵＥ１１５間で実行される。
【００５５】
[0063]基地局１０５は、コアネットワーク１３０および互いと通信し得る。たとえば、基地局１０５は、バックホールリンク１３２を介して（たとえば、Ｓ１または他のインターフェースを介して）コアネットワーク１３０とインターフェースし得る。基地局１０５は、直接的に（たとえば、基地局１０５間で直接的に）または（たとえば、コアネットワーク１３０を介して）間接的に、（たとえば、Ｘ２または他のインターフェースを介して）バックホールリンク１３４上で互いに通信し得る。
【００５６】
[0064]コアネットワーク１３０は、ユーザ認証と、アクセス認可と、トラッキングと、インターネットプロトコル（ＩＰ）接続性と、他のアクセス、ルーティング、またはモビリティの機能とを提供し得る。コアネットワーク１３０は、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る、発展型パケットコア（ＥＰＣ）であり得る。ＭＭＥは、ＥＰＣに関連付けられた基地局１０５によってサービスされる、ＵＥ１１５のためのモビリティ、認証、およびベアラ管理などの非アクセス層（たとえば、制御プレーン）の機能を管理し得る。ユーザＩＰパケットはＳ−ＧＷを介して転送され得、Ｓ−ＧＷ自体はＰ−ＧＷに接続され得る。Ｐ−ＧＷは、ＩＰアドレス割振りならびに他の機能を提供し得る。Ｐ−ＧＷは、ネットワーク事業者のＩＰサービスに接続され得る。事業者のＩＰサービスには、インターネット、イントラネット、ＩＰマルチメディアサブシステム（ＩＭＳ）、またはパケット交換（ＰＳ）ストリーミングサービスが含まれ得る。
【００５７】
[0065]基地局１０５などのネットワークデバイスのうちの少なくともいくつかは、アクセスノードコントローラ（ＡＮＣ）の一例であり得る、アクセスネットワークエンティティなどのサブ構成要素を含み得る。各アクセスネットワークエンティティは、無線ヘッド、スマート無線ヘッド、または送信／受信ポイント（ＴＲＰ）と呼ばれ得る、いくつかの他のアクセスネットワーク送信エンティティを介して、ＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）に統合され得る。
【００５８】
[0066]ワイヤレス通信システム１００は、通常、３００ＭＨｚ〜３００ＧＨｚの範囲の１つまたは複数の周波数帯域を使用して動作し得る。概して、３００ＭＨｚから３ＧＨｚまでの領域は、波長が約１デシメートルから１メートルまでの長さの範囲なので、極超短波（ＵＨＦ）領域またはデシメートル帯域として知られている。ＵＨＦ波は、建物および環境特徴によってブロックまたはリダイレクトされ得る。しかしながら、波は、マクロセルが屋内に位置するＵＥ１１５にサービスを提供するために、十分に構造を透過し得る。ＵＨＦ波の送信は、３００ＭＨｚ未満のスペクトルの高周波（ＨＦ）部分または超短波（ＶＨＦ）部分のより小さい周波数およびより長い波を使用する送信と比較して、より小さいアンテナおよびより短い距離（たとえば、１００ｋｍ未満）と関連付けられ得る。
【００５９】
[0067]ワイヤレス通信システム１００は、センチメートル帯域としても知られている３ＧＨｚから３０ＧＨｚまでの周波数帯域を使用して、超高周波（ＳＨＦ）領域内で動作することもできる。ＳＨＦ領域は、他のユーザからの干渉を許容することができるデバイスによって機会主義的に使用され得る、５ＧＨｚ産業科学医療用（ＩＳＭ）帯域などの帯域を含む。
【００６０】
[0068]ワイヤレス通信システム１００は、ミリメートル帯域としても知られている（たとえば、３０ＧＨｚから３００ＧＨｚまでの）スペクトルの極高周波（ＥＨＦ）領域内で動作することもできる。いくつかの例では、ワイヤレス通信システム１００は、ＵＥ１１５と基地局１０５との間のミリメートル波（ｍｍＷ）通信をサポートすることができ、それぞれのデバイスのＥＨＦアンテナは、ＵＨＦアンテナよりもさらに小さく、間隔が密であり得る。いくつかのケースでは、これはＵＥ１１５内のアンテナアレイの使用を容易にし得る。しかしながら、ＥＨＦ送信の伝搬は、ＳＨＦ送信またはＵＨＦ送信よりさらに大きい大気減衰および短い距離を被り得る。本明細書で開示された技法は、１つまたは複数の異なる周波数領域を使用する送信にわたって採用され得、これらの周波数領域にわたる帯域の指定された使用は、国または規制団体によって異なり得る。
【００６１】
[0069]いくつかのケースでは、ワイヤレス通信システム１００は、認可と無認可の両方の無線周波数スペクトル帯域を利用し得る。たとえば、ワイヤレス通信システム１００は、５ＧＨｚ  ＩＳＭ帯域などの無認可帯域内で、ライセンス支援型アクセス（ＬＡＡ）、ＬＴＥ無認可（ＬＴＥ−Ｕ）無線アクセス技術、またはＮＲ技術を採用し得る。無認可無線周波数スペクトル帯域内で動作するとき、基地局１０５およびＵＥ１１５などのワイヤレスデバイスは、データを送信する前に周波数チャネルがクリアであることを保証するために、リッスンビフォアトーク（ＬＢＴ）プロシージャを採用し得る。いくつかのケースでは、無認可帯域内の動作は、認可帯域（たとえば、ＬＡＡ）内で動作するＣＣと連携するＣＡ構成に基づき得る。無認可スペクトルにおける動作は、ダウンリンク送信、アップリンク送信、ピアツーピア送信、またはこれらの組合せを含み得る。無認可スペクトルにおける複信は、周波数分割複信（ＦＤＤ）、時分割複信（ＴＤＤ）、または両方の組合せに基づき得る。
【００６２】
[0070]いくつかの例では、基地局１０５またはＵＥ１１５は複数のアンテナを備えることができ、それらは、送信ダイバーシティ、受信ダイバーシティ、多入力多出力（ＭＩＭＯ）通信、またはビームフォーミングなどの技法を採用するために使用され得る。たとえば、ワイヤレス通信システム１００は、送信デバイスが複数のアンテナを備え、受信デバイスが１つまたは複数のアンテナを備える、送信デバイス（たとえば、基地局１０５）と受信デバイス（たとえば、ＵＥ１１５）との間の送信スキームを使用し得る。ＭＩＭＯ通信は、様々な空間レイヤを介して複数の信号を送信または受信することにより、スペクトル効率を上げるためにマルチパス信号伝搬を採用することができ、それは空間多重化と呼ばれ得る。マルチパス信号は、たとえば、異なるアンテナまたはアンテナの異なる組合せを介して、送信デバイスによって送信され得る。同様に、マルチパス信号は、異なるアンテナまたはアンテナの異なる組合せを介して、受信デバイスによって受信され得る。マルチパス信号の各々は、個別の空間ストリームと呼ばれる場合があり、同じデータストリーム（たとえば、同じコードワード）または異なるデータストリームに関連付けられたビットを搬送し得る。様々な空間レイヤは、チャネル測定および報告に使用される様々なアンテナポートと関連付けられ得る。ＭＩＭＯ技法には、複数の空間レイヤが同じ受信デバイスに送信されるシングルユーザＭＩＭＯ（ＳＵ−ＭＩＭＯ）、および複数の空間レイヤが複数のデバイスに送信されるマルチユーザＭＩＭＯ（ＭＵ−ＭＩＭＯ）が含まれる。
【００６３】
[0071]空間フィルタリング、指向性送信、または指向性受信と呼ばれ得るビームフォーミングは、送信デバイスと受信デバイスとの間の空間経路に沿ってアンテナビーム（たとえば、送信ビームまたは受信ビーム）を成形または操縦するために、送信デバイスまたは受信デバイス（たとえば、基地局１０５またはＵＥ１１５）において使用され得る信号処理技法である。ビームフォーミングは、アンテナアレイに対して特定の向きに伝搬する信号が強め合う干渉を経験し、他の信号が弱め合う干渉を経験するように、アンテナアレイのアンテナ素子を介して通信される信号を合成することによって達成され得る。アンテナ素子を介して通信される信号の調整には、送信デバイスまたは受信デバイスが、デバイスに関連付けられたアンテナ素子の各々を介して搬送される信号に特定の振幅と位相オフセットとを印加することが含まれ得る。アンテナ素子の各々に関連付けられた調整は、（たとえば、送信デバイスもしくは受信デバイスのアンテナアレイに対して、または何らかの他の向きに対して）特定の向きに関連付けられたビームフォーミング重みセットによって定義され得る。
【００６４】
[0072]一例では、基地局１０５は、ＵＥ１１５との指向性通信のためのビームフォーミング動作を行うために、複数のアンテナまたはアンテナアレイを使用し得る。たとえば、いくつかの信号（たとえば、同期信号、基準信号、ビーム選択信号、または他の制御信号）は、様々な方向に複数回基地局１０５によって送信され得、それらは、送信の様々な方向に関連付けられた様々なビームフォーミング重みセットに従って送信される信号を含み得る。様々なビーム方向の送信は、基地局１０５による次の送信および／または受信のためのビーム方向を（たとえば、基地局１０５、またはＵＥ１１５などの受信デバイスによって）識別するために使用され得る。特定の受信デバイスに関連付けられたデータ信号などのいくつかの信号は、単一のビーム方向（たとえば、ＵＥ１１５などの受信デバイスに関連付けられた方向）に基地局１０５によって送信され得る。いくつかの例では、単一のビーム方向に沿った送信に関連付けられたビーム方向は、様々なビーム方向に送信された信号に少なくとも部分的に基づいて決定され得る。たとえば、ＵＥ１１５は、様々な方向に基地局１０５によって送信された信号のうちの１つまたは複数を受信することができ、ＵＥ１１５は、最も高い信号品質で、またはさもなければ許容可能な信号品質で受信した信号のインジケーションを基地局１０５に報告し得る。これらの技法は、基地局１０５によって１つまたは複数の方向に送信された信号を参照して記載されたが、ＵＥ１１５は、（たとえば、ＵＥ１１５による次の送信もしくは受信のためのビーム方向を識別するために）様々な方向に複数回信号を送信するか、または（たとえば、受信デバイスにデータを送信するために）単一の方向に信号を送信するための同様の技法を採用し得る。
【００６５】
[0073]受信デバイス（たとえば、ｍｍＷ受信デバイスの一例であり得るＵＥ１１５）は、同期信号、基準信号、ビーム選択信号、または他の制御信号などの様々な信号を基地局１０５から受信するときに、複数の受信ビームを試み得る。たとえば、受信デバイスは、様々なアンテナサブアレイを介して受信することにより、様々なアンテナサブアレイに従って受信信号を処理することにより、アンテナアレイの複数のアンテナ素子において受信された信号に適用された様々な受信ビームフォーミング重みセットに従って受信することにより、またはアンテナアレイの複数のアンテナ素子において受信された信号に適用された様々な受信ビームフォーミング重みセットに従って受信信号を処理することにより、複数の受信方向を試みることができ、それらのいずれも、様々な受信ビームまたは受信方向に従って「リッスンすること」と呼ばれ得る。いくつかの例では、受信デバイスは、（たとえば、データ信号を受信するときに）単一のビーム方向に沿って受信するために、単一の受信ビームを使用し得る。単一の受信ビームは、様々な受信ビーム方向に従ってリッスンすることに少なくとも部分的に基づいて決定されたビーム方向（たとえば、複数のビーム方向に従ってリッスンすることに少なくとも部分的に基づいて、最も高い信号強度、最も高い信号対雑音比、またはさもなければ許容可能な信号品質を有するように決定されたビーム方向）に整列され得る。
【００６６】
[0074]いくつかのケースでは、基地局１０５またはＵＥ１１５のアンテナは、ＭＩＭＯ動作、または送信ビームフォーミングもしくは受信ビームフォーミングをサポートし得る、１つまたは複数のアンテナアレイ内に配置され得る。たとえば、１つまたは複数の基地局アンテナまたはアンテナアレイは、アンテナタワーなどのアンテナアセンブリにおいてコロケートされ得る。いくつかのケースでは、基地局１０５に関連付けられたアンテナまたはアンテナアレイは、多様な地理的位置に配置され得る。基地局１０５は、基地局１０５がＵＥ１１５との通信のビームフォーミングをサポートするために使用し得るアンテナポートのいくつかの行と列とを有するアンテナアレイを有し得る。同様に、ＵＥ１１５は、様々なＭＩＭＯまたはビームフォーミング動作をサポートし得る１つまたは複数のアンテナアレイを有し得る。
【００６７】
[0075]いくつかのケースでは、ワイヤレス通信システム１００は、階層化プロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネル上で通信するために、パケットのセグメンテーションおよびリアセンブリを実行し得る。媒体アクセス制御（ＭＡＣ）レイヤは、優先度処理と、トランスポートチャネルへの論理チャネルの多重化とを実行し得る。ＭＡＣレイヤはまた、リンク効率を改善するために、ハイブリッド自動再送要求（ＨＡＲＱ）を使用してＭＡＣレイヤにおいて再送信を提供し得る。制御プレーンでは、無線リソース制御（ＲＲＣ）プロトコルレイヤは、ユーザプレーンデータのための無線ベアラをサポートする、ＵＥ１１５と基地局１０５またはコアネットワーク１３０との間のＲＲＣ接続の確立と構成と維持とを提供し得る。物理（ＰＨＹ）レイヤにおいて、トランスポートチャネルは物理チャネルにマッピングされ得る。
【００６８】
[0076]いくつかのケースでは、ＵＥ１１５および基地局１０５は、データの受信が成功する可能性を高めるために、データの再送信をサポートし得る。ＨＡＲＱフィードバックは、データが通信リンク１２５上で正確に受信される可能性を高める１つの技法である。ＨＡＲＱは、（たとえば、巡回冗長検査（ＣＲＣ）を使用する）誤り検出、前方誤り訂正（ＦＥＣ）、および再送信（たとえば、自動再送要求（ＡＲＱ））の組合せを含み得る。ＨＡＲＱは、劣悪な無線状態（たとえば、信号対雑音状態）でのＭＡＣレイヤにおけるスループットを改善し得る。いくつかのケースでは、ワイヤレスデバイスは、デバイスがスロット内の前のシンボル内で受信されたデータ用の特定のスロット内でＨＡＲＱフィードバックを提供し得る、同一スロットＨＡＲＱフィードバックをサポートし得る。他の場合には、デバイスは、次のスロット内で、または何らかの他の時間間隔に従ってＨＡＲＱフィードバックを提供し得る。
【００６９】
[0077]ＬＴＥまたはＮＲにおける時間間隔は、たとえば、Ｔs＝１／３０，７２０，０００秒のサンプリング期間を指し得る、基本時間単位の倍数で表され得る。通信リソースの時間間隔は、各々が１０ミリ秒（ｍｓ）の持続時間を有する無線フレームに従って組織され得、フレーム期間は、Ｔf＝３０７，２００Ｔsとして表現され得る。無線フレームは、０から１０２３までの範囲のシステムフレーム番号（ＳＦＮ）によって識別され得る。各フレームは、０から９までの番号が付けられた１０個のサブフレームを含んでよく、各サブフレームは１ｍｓの持続時間を有し得る。サブフレームは、各々が０．５ｍｓの持続時間を有する２つのスロットにさらに分割され得、各スロットは、（たとえば、各シンボル期間にプリペンドされたサイクリックプレフィックスの長さに応じて）６つまたは７つの変調シンボル期間を含み得る。サイクリックプレフィックスを除いて、各シンボル期間は２０４８個のサンプル期間を含み得る。いくつかのケースでは、サブフレームは、ワイヤレス通信システム１００の最も小さいスケジューリング単位であり得、送信時間間隔（ＴＴＩ）と呼ばれ得る。他の場合には、ワイヤレス通信システム１００の最も小さいスケジューリング単位は、サブフレームよりも短くてよいか、または（たとえば、ショートＴＴＩ（ｓＴＴＩ）のバースト内で、もしくはｓＴＴＩを使用する選択されたコンポーネントキャリア内で）動的に選択され得る。
【００７０】
[0078]いくつかのワイヤレス通信システムでは、スロットは、１つまたは複数のシンボルを含む複数のミニスロットにさらに分割され得る。いくつかの事例では、ミニスロットのシンボルまたはミニスロットは、スケジューリングの最小単位であり得る。各シンボルは、たとえば、動作のサブキャリア間隔または周波数帯域に応じて、持続時間内で変化し得る。さらに、いくつかのワイヤレス通信システムは、複数のスロットまたはミニスロットが一緒に集約され、ＵＥ１１５と基地局１０５との間の通信に使用される、スロットアグリゲーションをインプリメントし得る。
【００７１】
[0079]「キャリア」という用語は、通信リンク１２５上の通信をサポートするために定義された物理レイヤ構造を有する無線周波数スペクトルリソースのセットを指す。たとえば、通信リンク１２５のキャリアは、所与の無線アクセス技術用の物理レイヤチャネルに従って動作する無線周波数スペクトル帯域の一部分を含み得る。各物理レイヤチャネルは、ユーザデータ、制御情報、または他のシグナリングを搬送し得る。キャリアは、あらかじめ定義された周波数チャネル（たとえば、Ｅ−ＵＴＲＡ絶対無線周波数チャネル番号（ＥＡＲＦＣＮ））に関連付けられてよく、ＵＥ１１５による発見のためのチャネルラスタに従って配置され得る。キャリアは、（たとえば、ＦＤＤモードにおいて）ダウンリンクもしくはアップリンクであり得るか、または（たとえば、ＴＤＤモードにおいて）ダウンリンク通信とアップリンク通信とを搬送するように構成され得る。いくつかの例では、キャリア上で送信される信号波形は、（たとえば、直交周波数分割多重化（ＯＦＤＭ）または離散フーリエ変換拡張ＯＦＤＭ（ＤＦＴ−ｓ−ＯＦＤＭ）などのマルチキャリア変調（ＭＣＭ）技法を使用して）複数のサブキャリアから構成され得る。
【００７２】
[0080]キャリアの組織構造は、様々な無線アクセス技術（たとえば、ＬＴＥ、ＬＴＥ−Ａ、ＮＲなど）によって異なり得る。たとえば、キャリア上の通信は、ＴＴＩまたはスロットに従って組織され得、それらの各々は、ユーザデータならびにユーザデータの復号をサポートする制御情報またはシグナリングを含み得る。キャリアはまた、専用取得シグナリング（たとえば、同期信号またはシステム情報など）と、キャリアに対する動作を調整する制御シグナリングとを含み得る。いくつかの例では（たとえば、キャリアアグリゲーション構成では）、キャリアはまた、取得シグナリング、または他のキャリアに対する動作を調整する制御シグナリングを有し得る。
【００７３】
[0081]物理チャネルは、様々な技法に従ってキャリア上で多重化され得る。物理制御チャネルおよび物理データチャネルは、たとえば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネル内で送信される制御情報は、カスケード方式で様々な制御領域間で（たとえば、共通制御領域または共通探索空間と１つまたは複数のＵＥ固有制御領域またはＵＥ固有探索空間との間で）分散され得る。
【００７４】
[0082]キャリアは、無線周波数スペクトルの特定の帯域幅と関連付けられてよく、いくつかの例では、キャリア帯域幅は、キャリアまたはワイヤレス通信システム１００の「システム帯域幅」と呼ばれ得る。たとえば、キャリア帯域幅は、特定の無線アクセス技術のキャリア用のいくつかのあらかじめ決定された帯域幅（たとえば、１．４、３、５、１０、１５、２０、４０、または８０ＭＨｚ）のうちの１つであり得る。いくつかの例では、各サービスされるＵＥ１１５は、キャリア帯域幅の部分またはすべての上で動作するために構成され得る。他の例では、いくつかのＵＥ１１５は、キャリア内のあらかじめ定義された部分または領域（たとえば、サブキャリアまたはＲＢのセット）に関連付けられた狭帯域プロトコルタイプ（たとえば、狭帯域プロトコルタイプの「インバンド」展開）を使用する動作用に構成され得る。
【００７５】
[0083]ＭＣＭ技法を採用するシステムでは、リソース要素は、１つのシンボル期間（たとえば、１つの変調シンボルの持続時間）および１つのサブキャリアから構成され得、シンボル期間とサブキャリア間隔は逆関係にある。各リソース要素によって搬送されるビット数は、変調スキーム（たとえば、変調スキームの次数）に依存し得る。したがって、ＵＥ１１５が受信するリソース要素が多く、変調スキームの次数が高いほど、ＵＥ１１５向けのデータレートは高くなり得る。ＭＩＭＯシステムでは、ワイヤレス通信リソースは、無線周波数スペクトルリソース、時間リソース、および空間リソース（たとえば、空間レイヤ）の組合せを指すことができ、複数の空間レイヤを使用すると、ＵＥ１１５との通信用のデータレートがさらに上がり得る。
【００７６】
[0084]ワイヤレス通信システム１００のデバイス（たとえば、基地局１０５またはＵＥ１１５）は、特定のキャリア帯域幅上の通信をサポートするハードウェア構成を有し得るか、またはキャリア帯域幅のセットのうちの１つの上での通信をサポートするように構成可能であり得る。いくつかの例では、ワイヤレス通信システム１００は、２つ以上の異なるキャリア帯域幅に関連付けられたキャリアを介する同時通信をサポートすることができる基地局１０５および／またはＵＥを含み得る。
【００７７】
[0085]ワイヤレス通信システム１００は、複数のセルまたはキャリア上でのＵＥ１１５との通信、キャリアアグリゲーション（ＣＡ）またはマルチキャリア動作と呼ばれ得る機能をサポートし得る。ＵＥ１１５は、キャリアアグリゲーション構成に従って、複数のダウンリンクＣＣおよび１つまたは複数のアップリンクＣＣで構成され得る。キャリアアグリゲーションは、ＦＤＤとＴＤＤの両方のコンポーネントキャリアとともに使用され得る。
【００７８】
[0086]いくつかのケースでは、ワイヤレス通信システム１００は、拡張コンポーネントキャリア（ｅＣＣ）を利用し得る。ｅＣＣは、より広いキャリアもしくは周波数チャネル帯域幅、より短いシンボル持続時間、より短いＴＴＩ持続時間、または修正された制御チャネル構成を含む、１つまたは複数の特徴によって特徴付けられ得る。いくつかのケースでは、ｅＣＣは、（たとえば、複数のサービングセルが準最適または非理想のバックホールリンクを有するときに）キャリアアグリゲーション構成または二重接続構成と関連付けられ得る。ｅＣＣはまた、（たとえば、２つ以上の事業者がスペクトルを使用することを許可された場合）無認可スペクトルまたは共有スペクトルにおいて使用するために構成され得る。広いキャリア帯域幅によって特徴付けられるｅＣＣは、キャリア帯域幅全体を監視することが可能でないか、またはさもなければ（たとえば、電力を節約するために）制限されたキャリア帯域幅を使用するように構成されたＵＥ１１５によって利用され得る、１つまたは複数のセグメントを含み得る。
【００７９】
[0087]いくつかのケースでは、ｅＣＣは、他のＣＣとは異なるシンボル持続時間を利用することができ、これは、他のＣＣのシンボル持続時間と比較して削減されたシンボル持続時間の使用を含み得る。より短いシンボル持続時間は、隣接するサブキャリア間の増大された間隔と関連付けられ得る。ｅＣＣを利用するＵＥ１１５または基地局１０５などのデバイスは、削減されたシンボル持続時間（たとえば、１６．６７マイクロ秒）において（たとえば、２０、４０、６０、８０ＭＨｚなどの周波数チャネルまたはキャリア帯域幅に従って）広帯域信号を送信し得る。ｅＣＣ内のＴＴＩは、１つまたは複数のシンボル期間から構成され得る。いくつかのケースでは、ＴＴＩ持続時間（すなわち、ＴＴＩ内のシンボル期間の数）は可変であり得る。
【００８０】
[0088]ＮＲシステムなどのワイヤレス通信システムは、とりわけ、認可スペクトル帯域、共有スペクトル帯域、および無認可スペクトル帯域の任意の組合せを利用し得る。ｅＣＣのシンボル持続時間およびサブキャリア間隔の柔軟性は、複数のスペクトルにわたってｅＣＣの使用を可能にし得る。いくつかの例では、ＮＲ共有スペクトルは、特に、リソースの動的な（たとえば、周波数にわたる）垂直共有および（たとえば、時間にわたる）水平共有を介して、スペクトル利用率とスペクトル効率とを上げ得る。
【００８１】
[0089]ワイヤレス通信システム１００は、特定のアプリケーション（たとえば、リモート制御、生産設備のワイヤレス自動化、車両トラフィックの効率および安全、モバイルゲームなど）において望ましい場合がある、高信頼性を伴う低遅延サービスを提供し得る。ＵＲＬＬＣは、高信頼性を伴う低遅延サービスの一例である。そのようなワイヤレス通信では、基地局１０５はＵＥ１１５にＵＲＬＬＣデータを送信することができ、ＵＥ１１５はＡＣＫ／ＮＡＣＫフィードバックを直ちに送信する必要があり得る。
【００８２】
[0090]いくつかのケースでは、ＵＥ１１５は、アップリンク送信用のリソースを要求するＳＲメッセージを基地局１０５に送信し得る。ＵＥ１１５のＭＡＣは、ＵＥ１１５におけるイベント（たとえば、ＢＳＲ内の変化、または論理チャネルグループからのアップリンクデータ到達）に応答して、ＳＲをトリガし得る。ＳＲが送信され、基地局１０５によって受信されると、基地局１０５は、（たとえば、ＤＣＩ０フォーマットで）アップリンク認可を送信することができ、ＵＥ１１５は、アップリンク認可に応答してＰＵＳＣＨ内でメッセージを送信し得る。いくつかのケースでは、基地局１０５は、ＳＲを送信するために、ＲＲＣメッセージングを介してＳＲ構成をＵＥ１１５に通知し得る。構成は、ＵＥ１１５がＳＲを送信し得る周期的な開始時間を示す開始点を含み得る。さらに、構成は、ＵＥ１１５が基地局１０５からの応答（たとえば、アップリンク認可）を待つＳＲ応答ウィンドウを含み得る。ＵＥ１１５がウィンドウ内に応答を受信しなかった場合、ＵＥ１１５はＳＲを再送信し得る。ＳＲ、アップリンク認可、およびＰＵＳＣＨ送信の間のタイミングは、送信スキーム（たとえば、ＦＤＤ、ＴＤＤなど）によって異なり得る。いくつかのケースでは、ＳＲを送信するために開始期間の間待つこと、または応答ウィンドウ時間が満了した後にＳＲの送信を待つことは、ＳＲ送信の待ち時間を増大させる可能性がある。
【００８３】
[0091]ワイヤレス通信システム１００は、ＳＲ繰返しスキームを構成し利用するための効率的な技法をサポートし得る。基地局１０５およびＵＥ１１５は、高信頼性（たとえば、０．００１％未満のブロック誤り率）および（たとえば、２ｍｓより短い）低遅延の通信システム（たとえば、ＵＲＬＬＣ）において通信し得る。そのような通信システムでは、ＵＥ１１５は、ＳＲを送信するための周期的な開始時間を待つのではなく、新しいデータパケットによってＢＳＲがトリガされたときに瞬時ＳＲを送信し得る。さらに、本明細書に記載されたように、基地局１０５は、基地局１０５がＳＲの検出を見逃す機会を減らし、応答ウィンドウの最後まで待ってＳＲを再送信する必要をなくすためにＵＥ１１５が利用し得る、ＵＥ固有のＳＲ繰返し構成を通知し得る。ＵＥ１１５は、繰返しの数もしくは繰返しの時間期間が満たされるか、または基地局１０５からアップリンク認可が受信されるまで、ＳＲを繰り返し送信し得る。基地局１０５は、トラフィック優先度、ＵＥリンクバジェット、待ち時間要件、要件履歴などの、ＵＥ１１５に対するＵＥ固有の条件に基づいて、ＵＥ固有のＳＲ繰返し構成を決定し得る。いくつかのケースでは、基地局１０５は、利用可能なＳＲ構成のテーブルからＵＥ固有のＳＲ繰返し構成を選択し、選択されたＵＥ固有のＳＲ構成に対応するインデックスをＵＥ１１５に通知し得る。基地局１０５は、半永続的シグナリング（たとえば、ＲＲＣメッセージング）内で、または動的シグナリング（たとえば、ＰＤＣＣＨ）内でＵＥ固有のＳＲ構成を送信し得る。
【００８４】
[0092]ＳＲ繰返し構成は、繰返し設定、電力設定、リソース割振り、およびＡＣＫ／ＮＡＣＫプロシージャを含む、いくつかのパラメータを含み得る。繰返し設定パラメータは、ＳＲ用の繰返しの数、繰返し用の時間期間、繰返し用の開始点、またはそれらの組合せを含み得る。電力設定は、チャネル状態に基づくか、または待ち期間要件に基づくＳＲの特定の繰返しへの電力ブーストを含み得る。リソース割振りパラメータは、時間周波数領域内のどのリソース上でＳＲ繰返しを送信するかを含み得る。たとえば、リソース割振りには、ホッピングパターン、同じシンボル内で複数のリソースを割り振ること、またはリソースブロック間のリソースのサイクリックシフトが含まれ得る。ＡＣＫ／ＮＡＣＫプロシージャパラメータは、同じシンボル内でＵＲＬＬＣデータおよびＳＲに応答してＡＣＫ／ＮＡＣＫフィードバックを送信する必要があるときにＵＥ１１５がどのように応答するべきかのインジケーションを含み得る。たとえば、ＵＥ１１５は、ＳＲおよびＡＣＫ／ＮＡＣＫフィードバックを一緒に多重化し、２つの送信間の優先度に基づいて、ＳＲまたはＡＣＫ／ＮＡＣＫフィードバックのいずれかを送信し得る。
【００８５】
[0093]図２は、本開示の様々な態様による、ＵＥ固有のＳＲの繰返し（たとえば、再送信）をサポートするワイヤレス通信システム２００の一例を例示する。いくつかの例では、ワイヤレス通信システム２００は、ワイヤレス通信システム１００の態様をインプリメントし得る。いくつかの例では、ワイヤレス通信システム２００は、ＵＲＬＬＣシステムにおいて動作し得る。基地局１０５−ａは、ＵＥ１１５−ａへのキャリア２０５のリソース上で、ＵＥ１１５−ａに固有のＳＲ繰返し構成に対応するＳＲ繰返しパラメータ２１０を示し得る。それに応じて、ＵＥ１１５−ａは、キャリア２１５のリソース上で、ＳＲ繰返し構成に対応する１つまたは複数のＳＲ繰返し２２０を送信し得る。
【００８６】
[0094]いくつかのケースでは、基地局１０５−ａは、ＵＥ１１５−ａに対する特定の条件に基づいて、ＵＥ１１５−ａ用のＳＲ繰返し構成を決定し得る。いくつかのケースでは、これらのＵＥ固有の条件には、トラフィック優先度、ＵＥリンクバジェット、持ち時間要件、要件履歴などが含まれ得る。いくつかのケースでは、基地局１０５−ａは、利用可能なＳＲ構成のテーブルからＵＥ固有のＳＲ構成を選択し、選択されたＵＥ固有のＳＲ構成に対応するインデックスをＵＥ１１５−ａに通知し得る。さらに、基地局１０５−ａは、キャリア２０５上の半永続的シグナリング（たとえば、ＲＲＣメッセージング）または動的シグナリング（たとえば、ＰＤＣＣＨ）を介して、ＵＥ固有のＳＲ構成に対応するＳＲ繰返しパラメータ２１０を送信し得る。ＳＲ繰返し構成は、繰返し設定、電力設定、リソース割振り、およびＡＣＫ／ＮＡＣＫプロシージャを含む、いくつかのパラメータを含み得る。
【００８７】
[0095]繰返し設定パラメータは、ＳＲ用の繰返しの数、繰返し用の時間期間、繰返し用の開始点、またはそれらの組合せを含み得る。たとえば、基地局１０５−ａは、信頼性および待ち時間の要件に基づいて、ＵＥ１１５−ａ用のＳＲ繰返しの特定の数を選択し得る。いくつかのケースでは、ＵＥ１１５−ａが基地局１０５−ａから遠く（すなわち、セルエッジＵＥ）、結果として低いリンクバジェットを有する場合、ＵＥ１１５−ａ用に繰返しの多い数（たとえば、４）が選択され得る。あるいは、ＵＥ１１５−ａが基地局１０５−ａに近い（すなわち、セルセンタＵＥ）、結果として高いリンクバジェットを有する場合、繰返しの少ない数（たとえば、０または１）が選択され得る。概して、素早い時間（すなわち、低い待ち時間）で基地局がＳＲを正確に受信する高信頼性のために、予想される損失がより低く、リンクバジェットがより良いと、選択された繰返しの少ない数がもたらされ得る。しかしながら、基地局１０５−ａは、上記で指定された他のＵＥ固有の条件に基づいて、より多いかまたは少ない繰返しを選択し得る。
【００８８】
[0096]追加または代替として、基地局１０５−ａは、待ち時間要件に基づいて繰返し用の時間期間を選択し得る。たとえば、基地局１０５−ａは、待ち時間要件が低いＵＥ１１５用に短い繰返し期間（たとえば、１つまたは２つのＯＦＤＭシンボルなど）を選択し得る。さらに、基地局１０５−ａは、待ち時間要件に基づいて繰返し用の開始点を選択し得る（すなわち、待ち時間要件が低いＵＥ１１５の場合より頻繁な開始点が選択されてよい）。たとえば、ＳＲ開始送信ポイントは、４回以下の繰返しの場合、ｎ、ｎ＋４、ｎ＋８などであり得、１回以下の繰返しの場合、ｎ、ｎ＋１、ｎ＋２などであり得、ここで、ｎはシンボルインデックスを指す。基地局１０５−ａは、ＳＲ繰返しの選択された数および期間に基づいて一緒に開始点を選択し得る。さらに、繰返しはスロット／サブフレームの境界を横断してもよい。
【００８９】
[0097]ＵＥ１１５−ａ向けのＳＲ繰返し用の数、期間、および開始点を選択した結果として、基地局１０５−ａは、信頼性を向上させるために、ＵＥ１１５−ａからの送信ＳＲの結合された検出／復号を実行し得る。たとえば、選択されたＳＲ繰返し構成は、１シンボルの周期で、開始点ｎ、ｎ＋４、ｎ＋８などにおける４回のＳＲ繰返しを含み得る。基地局１０５−ａがシンボルｎおよびｎ＋１においてＳＲを見逃した場合、シンボルｎ＋２において、基地局１０５−ａは、ＵＥ１１５−ａからの送信ＳＲを検出するために、シンボルｎ、ｎ＋１、およびｎ＋２用の受信信号を組み合わせることができる。さらに、基地局１０５−ａは、ＳＲが他の目的で情報を搬送した場合、結合された復号を実行し得る。ＳＲ用のペイロードサイズが小さいので、繰り返されたＳＲ信号を記憶するために利用されるメモリのサイズは小さくてよい。いくつかのケースでは、ＳＲ応答ウィンドウ（すなわち、ＵＥ１１５−ａが送信されたＳＲに対する基地局１０５−ａからの応答を受信するための時間ウィンドウ）は、選択された繰返しパラメータにかかわらず一貫したままであり得る。
【００９０】
[0098]電力設定は、チャネル状態に基づくか、または待ち期間要件に基づくＳＲの特定の繰返しへの電力ブーストを含み得る。たとえば、基地局１０５−ａは、１つまたは複数のシンボルがより良いチャネル状態を有することがあらかじめ知られている場合、特定の繰返し用の高い電力を選択することができ、それにより、信頼性が向上し得る。別の例では、基地局１０５−ａは、待ち時間要件が低いトラフィックが検出されると、ＳＲ電力を上昇させ得る。待ち時間要件が低い結果として、ＳＲ繰返しの数およびＳＲ応答ウィンドウのサイズは削減され得、ＳＲ電力を増大させると、より多いＳＲ繰返しを有する均等な目的が果たされ得る。他の電力上昇またはランピングプロシージャ（たとえば、ＬＴＥ物理ランダムアクセスチャネル（ＰＲＡＣＨ）電力ランピング）とは対照的に、基地局１０５−ａは、失敗した送信の試みの代わりにチャネル状態または待ち時間要件に基づいて、電力を上昇させ得る。いくつかのケースでは、基地局１０５−ａは、ＰＤＣＣＨを介して電力設定を示す電力設定パラメータを通知し得る。たとえば、基地局１０５−ａは、特定の電力設定（たとえば、低い、中間の、または高い電力設定）を用いて、特定のサブフレームまたはシンボル内でＳＲを送信するようにＵＥ１１５−ａに通知し得る。そのような場合、ＰＤＣＣＨを使用して電力設定を送信することにより、チャネル状態を動的に変更することになってよく、チャネル状態における様々な変化に基づいて、適切な電力ブーストがＵＥ１１５−ａによって利用され得る。
【００９１】
[0099]リソース割振りパラメータは、ＵＥ１１５−ａに固有のＳＲ繰返しを送信するために、時間周波数領域内のどのリソースが使用され得るかのインジケーションを含み得る。たとえば、ＳＲ繰返しに利用されるリソースは、時間周波数リソース内のホッピングパターンに基づき得る。追加または代替として、ＳＲ繰返しに利用されるリソースは、同じかまたは異なるシンボル内に割り振られ得る（たとえば、１つシンボル内のＳＲ用の２つの別個のリソース）。追加または代替として、ＳＲ繰返しに利用されるリソースは、リソースブロック内のサイクリックシフトに基づき得る。いくつかのケースでは、基地局１０５−ａは、ＵＥ１１５−ａを含む特定のＵＥ１１５ごとにＳＲ繰返し用のリソース割振りを構成し得る。ＵＥ固有のリソース割振りは、ＳＲ繰返し送信をランダム化し得る。ランダム化は、他のＵＥ１１５の他のＳＲまたはアップリンク制御情報（ＵＣＩ）送信との衝突を削減し得る。さらに、ランダム化は、ホッピングダイバーシティ（たとえば、時間周波数ダイバーシティ）を活用することができ、それにより、信頼性が向上する。
【００９２】
[0100]ＡＣＫ／ＮＡＣＫプロシージャパラメータは、同じシンボル内でＵＲＬＬＣデータおよびＳＲに応答してＡＣＫ／ＮＡＣＫフィードバックを送信する必要があるときにＵＥ１１５がどのように応答するべきかのインジケーションを含み得る。たとえば、ＡＣＫ／ＮＡＣＫフィードバックとＳＲの両方が緊急である場合、基地局１０５−ａは、ＡＣＫ／ＮＡＣＫフィードバックとＳＲを一緒に多重化するようにＵＥ１１５−ａに通知し得る。あるいは、ＳＲがより重みがあり、より緊急である（たとえば、繰返しが構成されない）場合、基地局１０５−ａは、ＡＣＫ／ＮＡＣＫフィードバックをドロップし、ＳＲを送信するようにＵＥ１１５−ａに通知し得る。あるいは、ＡＣＫ／ＮＡＣＫフィードバックがより重みがあり、より緊急である（たとえば、いくつかのＳＲ繰返しが構成される）場合、基地局１０５−ａは、ＡＣＫ／ＮＡＣＫフィードバック用のシンボルに対応するＳＲ繰返しのうちの１つをドロップするようにＵＥ１１５−ａに通知し得る。
【００９３】
[0101]図３Ａ、図３Ｂ、および図３Ｃは、それぞれ、本開示の様々な態様による、ＵＥ固有のＳＲの繰返し（たとえば、再送信）をサポートする、ＳＲ繰返しリソース割振り構成３００、３０２、および３０４の例を例示する。いくつかの例では、ＳＲ繰返しリソース割振り構成３００、３０２、および３０４は、ワイヤレス通信システム１００および２００の態様をインプリメントし得る。ＳＲ繰返しリソース割振り構成３００、３０２、および３０４は、図２を参照して記載されたＳＲ繰返し構成向けの可能なリソース割振りの例を例示し、すべての可能なリソース割振りの網羅的なリストを含むとは限らないことを理解されたい。ＳＲ繰返しリソース割振り構成３００、３０２、および３０４は、いくつかの周波数リソース３０５とシンボル３１０とを含み得る。
【００９４】
[0102]ＳＲ繰返しリソース割振り構成３００は、２つのシンボル３１０−ａに対して同じ周波数リソース３０５−ａにわたる２つのＳＲ繰返しを含み得る。本例では、基地局１０５は、第３のシンボル３１０−ａにおいて始まる２つの繰返しが存在するように、ＳＲ繰返しを送信するようにＵＥ１１５を構成し得る。さらに、いくつかのケースでは、異なるＵＥ１１５がそのＵＥ１１５と同じ時間周波数リソースを利用し得る。たとえば、異なるＵＥ１１５は同じリソースブロックを使用し得るが、各々はサイクリックシフトを利用し得る。
【００９５】
[0103]ＳＲ繰返しリソース割振り構成３０２は、異なるシンボル３１０−ｂに対して異なる周波数リソース３０５−ｂにわたる４つのＳＲ繰返しを含み得る。いくつかのケースでは、リソースは、ＵＥ１１５に固有のホッピングパターンに従ってＳＲ繰返し用に割り振られ得る。上述されたように、ＵＥ固有のリソース割振りは、ＵＥ１１５ごとにＳＲ繰返し送信をランダム化し得る。ランダム化は、他のＵＥ１１５の他のＳＲまたはＵＣＩ送信との衝突を削減し得る。さらに、ランダム化は、ホッピングダイバーシティ（たとえば、時間周波数ダイバーシティ）を活用することができ、それにより、信頼性が向上する。
【００９６】
[0104]ＳＲ繰返しリソース割振り構成３０４は、２つのシンボル３１０−ｃに対して異なる周波数リソース３０５−ｃにわたる４つのＳＲ繰返しを含み得る。基地局１０５は、同じシンボル３１０−ｃ内のＳＲ繰返しに複数の周波数リソース３０５−ｃを割り振り得る。いくつかのケースでは、本例は、２つのシンボル３１０−ｃに対して４つの周波数リソース３０５−ｃ上で４つのＳＲ繰返しを有する１つのＳＲ繰返し構成を例示し得る。あるいは、本例は、異なる開始期間を有する１つのシンボル３１０−ｃの２つの周波数リソース３０５−ｃ上で各々２つのＳＲ繰返しを有する２つのＳＲ繰返し構成を例示し得る。
【００９７】
[0105]図４は、本開示の様々な態様による、ＵＥ固有のＳＲの繰返し（たとえば、再送信）をサポートするプロセスフロー４００の一例を例示する。いくつかの例では、プロセスフロー４００は、ワイヤレス通信システム１００および２００の態様をインプリメントし得る。
【００９８】
[0106]プロセスフロー４００の以下の説明では、ＵＥ１１５−ｂと基地局１０５−ｂとの間の動作は、様々な順序で、または様々な時間に実行され得る。いくつかの動作がプロセスフロー４００から除外されてもよく、他の動作がプロセスフロー４００に追加されてもよい。
【００９９】
[0107]４０５において、基地局１０５−ｂは、ＵＥ（たとえば、ＵＥ１１５−ｂ）に関連付けられたチャネル状態を識別し得る。４１０において、基地局１０５−ｂは、チャネル状態に基づいてＵＥ１１５−ｂ用のＳＲ繰返し構成を決定し得る。いくつかのケースでは、ＳＲ繰返し構成はＵＥ１１５−ｂに固有（たとえば、ＵＥ固有）であり得、ＵＥ１１５−ｂ用のトラフィック優先度、ＵＥリンクバジェット、トラフィック待ち時間要件、またはＳＲ実行履歴のうちの１つまたは複数に基づいてもよい。
【０１００】
[0108]さらに、ＵＥ１１５−ｂ用のＳＲ繰返し構成を決定することは、ＵＥ１１５−ｂによるＳＲ繰返しの最大数を示すＳＲ繰返し数を決定することを含み得る。追加または代替として、基地局１０５−ｂは、ＵＥ１１５−ｂがＳＲの繰返しを送信するためのＳＲ繰返し周期を決定し得る。基地局１０５−ｂはさらに、ＵＥがＳＲの繰返しを送信するための開始シンボル期間を決定することができ、開始シンボル期間はＳＲ繰返し数およびＳＲ繰返し周期に基づく。いくつかのケースでは、基地局１０５−ｂは、ＵＥ１１５−ｂがＳＲの繰返しを送信するための電力構成を決定することができ、電力構成はチャネル状態に基づく。電力構成は、ＳＲ繰返し数に基づいてＳＲの繰返しを送信するための送信電力のインジケーションを含み得る。さらに、基地局１０５−ｂは、ＵＥ１１５−ｂがＳＲの繰返しを送信するためのＳＲリソース割振りを構成し得る。ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、ＳＲの繰返し用の時間周波数リソースのセットを示し得る。
【０１０１】
[0109]４１５において、基地局１０５−ｂは、ＳＲ繰返し構成に基づいてＵＥ１１５−ｂ用のＳＲ繰返しパラメータを生成し得る。いくつかのケースでは、ＳＲ繰返しパラメータは、ＵＥ１１５−ｂ用のトラフィック優先度、もしくはＵＥリンクバジェット、もしくはＵＥ１１５−ｂの待ち時間要件、もしくはＵＥ１１５−ｂの信頼性要件、もしくはＵＥ１１５−ｂのＳＲ実行履歴、ＵＥ１１５−ｂの位置、またはそれらの任意の組合せに基づき得る。いくつかのケースでは、ＳＲ繰返しパラメータは、ＳＲ繰返し構成のインデックスを含み得る。追加または代替として、ＳＲ繰返し構成は、ＳＲ繰返し数、ＳＲ繰返し周期、開始シンボル期間、電力構成、ＳＲリソース割振り、またはそれらの組合せを表し得る。
【０１０２】
[0110]４２０において、基地局１０５−ｂは、ＵＥ１１５−ｂにＳＲ繰返しパラメータを送信し得る。いくつかのケースでは、ＳＲ繰返しパラメータは、ＲＲＣメッセージングを介して、またはＰＤＣＣＨを介して送信され得る。
【０１０３】
[0111]４２５において、ＵＥ１１５−ｂは、受信されたＳＲ繰返しパラメータに基づいて、基地局にＳＲの繰返しを送信し得る。さらに、ＵＥ１１５−ｂは、電力構成に基づいて、ＳＲの繰返しを送信するための送信電力を調整し得る。たとえば、ＵＥ１１５−ｂは、しきい値を満たすチャネル状態を有するために、ＵＥ１１５−ｂによって知られているシンボル期間内でＳＲの繰返し用の送信電力を増大させ得る。いくつかのケースでは、ＵＥ１１５−ｂは、ＳＲ繰返しの最大数が満たされるまで、ＳＲ応答ウィンドウの間にＳＲを送信し得る。追加または代替として、ＵＥ１１５−ｂは、基地局１０５−ｂからリソース認可が受信されるまで、ＳＲ応答ウィンドウの間にＳＲを送信し得る。いくつかのケースでは、ＵＥ１１５−ｂは、複数のスロットまたはサブフレーム内でＳＲの繰返しを送信し得る。いくつかのケースでは、ＳＲの繰返しは、ＵＲＬＬＣの一部として送信され得る。基地局１０５−ｂは、ＳＲ繰返し構成に従って、ＳＲ応答ウィンドウの間にＳＲの繰返しを受信し得る。
【０１０４】
[0112]４３０において、ＵＥ１１５−ｂは、フィードバックメッセージ（たとえば、ＡＣＫ／ＮＡＣＫフィードバック）の送信とＳＲの繰返しとの間の衝突を識別し得る。さらに、ＵＥ１１５−ｂは、フィードバックメッセージの優先度とＳＲの繰返しの優先度とを決定し得る。４３５において、ＵＥ１１５−ｂは、フィードバックメッセージの優先度およびＳＲの繰返しの優先度に基づいて、フィードバックメッセージ、もしくはＳＲの繰返し、または両方を送信し得る。
【０１０５】
[0113]４４０において、基地局１０５−ｂは、受信されたＳＲの繰返しの組合せに基づいて、ＳＲを復号し得る。４４５において、基地局１０５−ｂは、受信されたＳＲの繰返しに基づいて、ＵＥ１１５−ｂにアップリンク認可を送信し得る。いくつかのケースでは、基地局１０５−ｂは、受信されたＳＲの繰返しの組合せの復号の成功に基づいて、アップリンク認可を送信し得る。
【０１０６】
[0114]図５は、本開示の態様による、ＵＥ固有のＳＲの繰返し（たとえば、再送信）をサポートするワイヤレスデバイス５０５のブロック図５００を示す。ワイヤレスデバイス５０５は、本明細書に記載されたＵＥ１１５の態様の一例であり得る。ワイヤレスデバイス５０５は、受信機５１０と、ＵＥ  ＳＲ繰返しマネージャ５１５と、送信機５２０とを含み得る。ワイヤレスデバイス５０５は、プロセッサも含み得る。これらの構成要素の各々は、（たとえば、１つまたは複数のバスを介して）互いに通信していてよい。
【０１０７】
[0115]受信機５１０は、パケット、ユーザデータ、または様々な情報チャネルに関連付けられた制御情報（たとえば、制御チャネル、データチャネル、およびＵＥ固有のスケジューリング要求の繰返しに関係する情報など）などの情報を受信し得る。情報はデバイスの他の構成要素に受け渡され得る。受信機５１０は、図８を参照して記載されるトランシーバ８３５の態様の一例であり得る。受信機５１０は、単一のアンテナまたはアンテナのセットを利用し得る。
【０１０８】
[0116]ＵＥ  ＳＲ繰返しマネージャ５１５は、図８を参照して記載されるＵＥ  ＳＲ繰返しマネージャ８１５の態様の一例であり得る。ＵＥ  ＳＲ繰返しマネージャ５１５および／またはその様々なサブ構成要素のうちの少なくともいくつかは、ハードウェア、プロセッサによって実行されるソフトウェア、ファームウェア、またはそれらの任意の組合せにインプリメントされ得る。プロセッサによって実行されるソフトウェアでインプリメントされる場合、ＵＥ  ＳＲ繰返しマネージャ５１５および／またはその様々なサブ構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理、ディスクリートハードウェア構成要素、または本開示に記載された機能を実行するように設計されたそれらの任意の組合せによって実行され得る。
【０１０９】
[0117]ＵＥ  ＳＲ繰返しマネージャ５１５および／またはその様々なサブ構成要素のうちの少なくともいくつかは、１つまたは複数の物理デバイスにより機能の部分が様々な物理位置においてインプリメントされるように分散されることを含めて、様々な位置に物理的に配置され得る。いくつかの例では、ＵＥ  ＳＲ繰返しマネージャ５１５および／またはその様々なサブ構成要素のうちの少なくともいくつかは、本開示の様々な態様による、別個であって明確に区別される構成要素であり得る。他の例では、ＵＥ  ＳＲ繰返しマネージャ５１５および／またはその様々なサブ構成要素のうちの少なくともいくつかは、限定はしないが、本開示の様々な態様による、Ｉ／Ｏ構成要素、トランシーバ、ネットワークサーバ、別のコンピューティングデバイス、本開示に記載された１つもしくは複数の他の構成要素、またはそれらの組合せを含む、１つまたは複数の他のハードウェア構成要素と組み合わされ得る。
【０１１０】
[0118]ＵＥ  ＳＲ繰返しマネージャ５１５は、ＵＥ用のＳＲ繰返しパラメータを含むメッセージを基地局から受信し、受信されたＳＲ繰返しパラメータに基づいて、基地局にＳＲの繰返しを送信し得る。
【０１１１】
[0119]送信機５２０は、デバイスの他の構成要素によって生成された信号を送信し得る。いくつかの例では、送信機５２０は、トランシーバモジュール内で受信機５１０とコロケートされ得る。たとえば、送信機５２０は、図８を参照して記載されるトランシーバ８３５の態様の一例であり得る。送信機５２０は、単一のアンテナまたはアンテナのセットを利用し得る。
【０１１２】
[0120]図６は、本開示の態様による、ＵＥ固有のＳＲの繰返し（たとえば、再送信）をサポートするワイヤレスデバイス６０５のブロック図６００を示す。ワイヤレスデバイス６０５は、図５を参照して記載されたワイヤレスデバイス５０５またはＵＥ１１５の態様の一例であり得る。ワイヤレスデバイス６０５は、受信機６１０と、ＵＥ  ＳＲ繰返しマネージャ６１５と、送信機６２０とを含み得る。ワイヤレスデバイス６０５は、プロセッサも含み得る。これらの構成要素の各々は、（たとえば、１つまたは複数のバスを介して）互いに通信していてよい。
【０１１３】
[0121]受信機６１０は、パケット、ユーザデータ、または様々な情報チャネルに関連付けられた制御情報（たとえば、制御チャネル、データチャネル、およびＵＥ固有のスケジューリング要求の繰返しに関係する情報など）などの情報を受信し得る。情報はデバイスの他の構成要素に受け渡され得る。受信機６１０は、図８を参照して記載されるトランシーバ８３５の態様の一例であり得る。受信機６１０は、単一のアンテナまたはアンテナのセットを利用し得る。
【０１１４】
[0122]ＵＥ  ＳＲ繰返しマネージャ６１５は、図８を参照して記載されるＵＥ  ＳＲ繰返しマネージャ８１５の態様の一例であり得る。ＵＥ  ＳＲ繰返しマネージャ６１５はまた、ＳＲ繰返しパラメータ構成要素６２５と、ＳＲ送信構成要素６３０とを含み得る。
【０１１５】
[0123]ＳＲ繰返しパラメータ構成要素６２５は、受信機６１０を介して基地局から、ＵＥ用のＳＲ繰返しパラメータを含むメッセージを受信し得る。いくつかのケースでは、ＳＲ繰返しパラメータは、ＳＲ繰返し構成を表し得る。いくつかのケースでは、ＳＲ繰返しパラメータは、ＳＲ繰返しの最大数を示すＳＲ繰返し数を表し得る。いくつかのケースでは、ＳＲ繰返しパラメータは、ＳＲ繰返し周期を表し得る。いくつかのケースでは、ＳＲ繰返しパラメータは、ＳＲの繰返しの送信を開始する開始シンボル期間を表し得、開始シンボル期間はＳＲ繰返し数およびＳＲ繰返し周期に基づき、ＳＲの繰返しは開始シンボル期間を使用して送信される。いくつかのケースでは、ＳＲ繰返しパラメータはＵＥ固有であり得、ＵＥ用のトラフィック優先度、ＵＥリンクバジェット、トラフィック待ち時間要件、またはＳＲ実行履歴のうちの１つまたは複数に基づき得る。いくつかのケースでは、ＵＥ用のＳＲ繰返しパラメータを含むメッセージは、ＲＲＣメッセージを介して、またはＰＤＣＣＨを介して送信され得る。
【０１１６】
[0124]ＳＲ送信構成要素６３０は、受信されたＳＲ繰返しパラメータに基づいて、基地局にＳＲの繰返しを送信し得る。いくつかのケースでは、ＳＲの繰返しを送信することは、ＳＲ繰返しの最大数が満たされるまで、ＳＲ応答ウィンドウの間にＳＲを送信することを含み得る。追加または代替として、ＳＲの繰返しを送信することは、基地局からリソース認可が受信されるまで、ＳＲ応答ウィンドウの間にＳＲを送信することを含み得る。いくつかのケースでは、ＳＲの繰返しを送信することは、複数のスロットまたはサブフレーム内でＳＲの繰返しを送信することを含み得る。いくつかのケースでは、ＳＲの繰返しは、ＵＲＬＬＣの一部として送信され得る。
【０１１７】
[0125]送信機６２０は、デバイスの他の構成要素によって生成された信号を送信し得る。いくつかの例では、送信機６２０は、トランシーバモジュール内で受信機６１０とコロケートされ得る。たとえば、送信機６２０は、図８を参照して記載されるトランシーバ８３５の態様の一例であり得る。送信機６２０は、単一のアンテナまたはアンテナのセットを利用し得る。
【０１１８】
[0126]図７は、本開示の態様による、ＵＥ固有のＳＲの繰返し（たとえば、再送信）をサポートするＵＥ  ＳＲ繰返しマネージャ７１５のブロック図７００を示す。ＵＥ  ＳＲ繰返しマネージャ７１５は、図５、図６、および図８を参照して記載されたＵＥ  ＳＲ繰返しマネージャ５１５、ＵＥ  ＳＲ繰返しマネージャ６１５、またはＵＥ  ＳＲ繰返しマネージャ８１５の態様の一例であり得る。ＵＥ  ＳＲ繰返しマネージャ７１５は、ＳＲ繰返しパラメータ構成要素７２０と、ＳＲ送信構成要素７２５と、ＳＲ構成インデックス構成要素７３０と、ＳＲ電力構成構成要素７３５と、ＳＲリソース割振り構成要素７４０と、フィードバック衝突構成要素７４５とを含み得る。これらのモジュールの各々は、直接的または間接的に、（たとえば、１つまたは複数のバスを介して）互いに通信し得る。
【０１１９】
[0127]ＳＲ繰返しパラメータ構成要素７２０は、ＵＥ用のＳＲ繰返しパラメータを含むメッセージを基地局から受信し得る。いくつかのケースでは、ＳＲ繰返しパラメータは、ＳＲ繰返し構成を表し得る。いくつかのケースでは、ＳＲ繰返しパラメータは、ＳＲ繰返しの最大数を示すＳＲ繰返し数を表し得る。いくつかのケースでは、ＳＲ繰返しパラメータは、ＳＲ繰返し周期を表し得る。いくつかのケースでは、ＳＲ繰返しパラメータは、ＳＲの繰返しの送信を開始する開始シンボル期間を表し得、開始シンボル期間はＳＲ繰返し数およびＳＲ繰返し周期に基づき、ＳＲの繰返しは開始シンボル期間を使用して送信される。いくつかのケースでは、ＳＲ繰返しパラメータはＵＥ固有であり得、ＵＥ用のトラフィック優先度、ＵＥリンクバジェット、トラフィック待ち時間要件、またはＳＲ実行履歴のうちの１つまたは複数に基づき得る。いくつかのケースでは、ＵＥ用のＳＲ繰返しパラメータを含むメッセージは、ＲＲＣメッセージを介して、またはＰＤＣＣＨを介して送信され得る。
【０１２０】
[0128]ＳＲ送信構成要素７２５は、受信されたＳＲ繰返しパラメータに基づいて、基地局にＳＲの繰返しを送信し得る。いくつかのケースでは、ＳＲの繰返しを送信することは、ＳＲ繰返しの最大数が満たされるまで、ＳＲ応答ウィンドウの間にＳＲを送信することを含み得る。追加または代替として、ＳＲの繰返しを送信することは、基地局からリソース認可が受信されるまで、ＳＲ応答ウィンドウの間にＳＲを送信することを含み得る。いくつかのケースでは、ＳＲの繰返しを送信することは、複数のスロットまたはサブフレーム内でＳＲの繰返しを送信することを含み得る。いくつかのケースでは、ＳＲの繰返しは、ＵＲＬＬＣの一部として送信され得る。
【０１２１】
[0129]ＳＲ構成インデックス構成要素７３０は、ＳＲ繰返しパラメータに少なくとも部分的に基づいて、ＵＥ用のＳＲ繰返し構成のインデックスを示し得る。ＳＲ電力構成構成要素７３５は、電力構成に基づいて、ＳＲの繰返しを送信するための送信電力を調整し得る。いくつかのケースでは、ＳＲの繰返しを送信するための送信電力を調整することは、しきい値を満たすチャネル状態を有するために、ＵＥによって知られているシンボル期間内でＳＲの繰返し用の送信電力を増大させることを含み得る。いくつかのケースでは、ＳＲ繰返しパラメータは、ＳＲ繰返し数に基づいてＳＲの繰返しを送信するための送信電力を表し得る。
【０１２２】
[0130]ＳＲリソース割振り構成要素７４０はＳＲリソース割振りを示すことができ、ＳＲの繰返しは、ＳＲリソース割振りに従って時間周波数リソースのセット上で送信される。いくつかのケースでは、ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、ＳＲの繰返しを送信することを表し得る。
【０１２３】
[0131]フィードバック衝突構成要素７４５は、フィードバックメッセージの送信とＳＲの繰返しとの間の衝突を識別し、フィードバックメッセージの優先度とＳＲの繰返しの優先度とを決定し、フィードバックメッセージの優先度およびＳＲの繰返しの優先度に基づいて、フィードバックメッセージ、もしくはＳＲの繰返し、または両方を送信し得る。
【０１２４】
[0132]図８は、本開示の態様による、ＵＥ固有のＳＲの繰返し（たとえば、再送信）をサポートするデバイス８０５を含むシステム８００の図を示す。デバイス８０５は、たとえば、図５および図６を参照して上述されたワイヤレスデバイス５０５、ワイヤレスデバイス６０５、またはＵＥ１１５の一例であるか、またはその構成要素を含み得る。デバイス８０５は、ＵＥ  ＳＲ繰返しマネージャ８１５と、プロセッサ８２０と、メモリ８２５と、ソフトウェア８３０と、トランシーバ８３５と、アンテナ８４０と、Ｉ／Ｏコントローラ８４５とを含む、通信を送信および受信するための構成要素を含む、双方向音声およびデータ通信のための構成要素を含み得る。これらの構成要素は、１つまたは複数のバス（たとえば、バス８１０）を介して電子通信していてよい。デバイス８０５は、１つまたは複数の基地局１０５とワイヤレスに通信し得る。
【０１２５】
[0133]プロセッサ８２０は、インテリジェントハードウェアデバイス（たとえば、汎用プロセッサ、ＤＳＰ、中央処理装置（ＣＰＵ）、マイクロコントローラ、ＡＳＩＣ、ＦＰＧＡ、プログラマブル論理デバイス、ディスクリートゲートもしくはトランジスタ論理構成要素、ディスクリートハードウェア構成要素、またはそれらの任意の組合せ）を含み得る。いくつかのケースでは、プロセッサ８２０は、メモリコントローラを使用してメモリアレイを動作させるように構成され得る。他の場合には、メモリコントローラはプロセッサ８２０に組み込まれ得る。プロセッサ８２０は、様々な機能（たとえば、ＵＥ固有のスケジューリング要求の繰返しをサポートする機能またはタスク）を実行するために、メモリに記憶されたコンピュータ可読命令を実行するように構成され得る。
【０１２６】
[0134]メモリ８２５は、ランダムアクセスメモリ（ＲＡＭ）と、読取り専用メモリ（ＲＯＭ）とを含み得る。メモリ８２５は、実行されると、本明細書に記載された様々な機能をプロセッサに実行させる命令を含む、コンピュータ可読、コンピュータ実行可能ソフトウェア８３０を記憶し得る。いくつかのケースでは、メモリ８２５は、とりわけ、周辺の構成要素またはデバイスとのインタラクションなどの、基本的なハードウェアまたはソフトウェアの動作を制御し得る、基本入出力システム（ＢＩＯＳ）を含み得る。
【０１２７】
[0135]ソフトウェア８３０は、ＵＥ固有のスケジューリング要求の繰返しをサポートするコードを含む、本開示の態様をインプリメントするコードを含み得る。ソフトウェア８３０は、システムメモリまたは他のメモリなどの非一時的コンピュータ可読媒体に記憶され得る。いくつかのケースでは、ソフトウェア８３０は、プロセッサによって直接実行可能でない場合があるが、（たとえば、コンパイルされ実行されると）本明細書に記載された機能をコンピュータに実行させ得る。
【０１２８】
[0136]トランシーバ８３５は、上述されたように、１つまたは複数のアンテナ、有線リンク、またはワイヤレスリンクを介して、双方向に通信し得る。たとえば、トランシーバ８３５は、ワイヤレストランシーバを表すことができ、別のワイヤレストランシーバと双方向に通信し得る。トランシーバ８３５はまた、パケットを変調し、変調されたパケットを送信用アンテナに与えるために、およびアンテナから受信されたパケットを復調するために、モデムを含み得る。いくつかのケースでは、ワイヤレスデバイスは単一のアンテナ８４０を含み得る。しかしながら、いくつかのケースでは、デバイスは、複数のワイヤレス送信を同時に送信または受信することが可能であり得る、２つ以上のアンテナ８４０を有し得る。
【０１２９】
[0137]Ｉ／Ｏコントローラ８４５は、デバイス８０５のための入出力信号を管理し得る。Ｉ／Ｏコントローラ８４５はまた、デバイス８０５に組み込まれていない周辺装置を管理し得る。いくつかのケースでは、Ｉ／Ｏコントローラ８４５は、外部周辺装置への物理的な接続またはポートを表すし得る。いくつかのケースでは、Ｉ／Ｏコントローラ８４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムなどのオペレーティングシステムを利用し得る。いくつかのケースでは、Ｉ／Ｏコントローラ８４５は、モデム、キーボード、マウス、タッチスクリーン、または同様のデバイスを表すか、またはそれとインタラクトし得る。いくつかのケースでは、Ｉ／Ｏコントローラ８４５は、プロセッサの一部としてインプリメントされ得る。いくつかのケースでは、ユーザは、Ｉ／Ｏコントローラ８４５を介して、またはＩ／Ｏコントローラ８４５によって制御されるハードウェア構成要素を介して、デバイス８０５とインタラクトし得る。
【０１３０】
[0138]図９は、本開示の態様による、ＵＥ固有のＳＲの繰返し（たとえば、再送信）をサポートするワイヤレスデバイス９０５のブロック図９００を示す。ワイヤレスデバイス９０５は、本明細書に記載された基地局１０５の態様の一例であり得る。ワイヤレスデバイス９０５は、受信機９１０と、基地局ＳＲ繰返しマネージャ９１５と、送信機９２０とを含み得る。ワイヤレスデバイス９０５は、プロセッサも含み得る。これらの構成要素の各々は、（たとえば、１つまたは複数のバスを介して）互いに通信していてよい。
【０１３１】
[0139]受信機９１０は、パケット、ユーザデータ、または様々な情報チャネルに関連付けられた制御情報（たとえば、制御チャネル、データチャネル、およびＵＥ固有のスケジューリング要求の繰返しに関係する情報など）などの情報を受信し得る。情報はデバイスの他の構成要素に受け渡され得る。受信機９１０は、図１２を参照して記載されるトランシーバ１２３５の態様の一例であり得る。受信機９１０は、単一のアンテナまたはアンテナのセットを利用し得る。
【０１３２】
[0140]基地局ＳＲ繰返しマネージャ９１５は、図１２を参照して記載される基地局ＳＲ繰返しマネージャ１２１５の態様の一例であり得る。基地局ＳＲ繰返しマネージャ９１５および／またはその様々なサブ構成要素のうちの少なくともいくつかは、ハードウェア、プロセッサによって実行されるソフトウェア、ファームウェア、またはそれらの任意の組合せにインプリメントされ得る。プロセッサによって実行されるソフトウェアでインプリメントされる場合、基地局ＳＲ繰返しマネージャ９１５および／またはその様々なサブ構成要素のうちの少なくともいくつかの機能は、汎用プロセッサ、ＤＳＰ、ＡＳＩＣ、ＦＰＧＡもしくは他のプログラマブル論理デバイス、ディスクリートゲートもしくはトランジスタ論理、ディスクリートハードウェア構成要素、または本開示に記載された機能を実行するように設計されたそれらの任意の組合せによって実行され得る。
【０１３３】
[0141]基地局ＳＲ繰返しマネージャ９１５および／またはその様々なサブ構成要素のうちの少なくともいくつかは、１つまたは複数の物理デバイスにより機能の部分が様々な物理位置においてインプリメントされるように分散されることを含めて、様々な位置に物理的に配置され得る。いくつかの例では、基地局ＳＲ繰返しマネージャ９１５および／またはその様々なサブ構成要素のうちの少なくともいくつかは、本開示の様々な態様による、別個であって明確に区別される構成要素であり得る。他の例では、基地局ＳＲ繰返しマネージャ９１５および／またはその様々なサブ構成要素のうちの少なくともいくつかは、限定はしないが、本開示の様々な態様による、Ｉ／Ｏ構成要素、トランシーバ、ネットワークサーバ、別のコンピューティングデバイス、本開示に記載された１つもしくは複数の他の構成要素、またはそれらの組合せを含む、１つまたは複数の他のハードウェア構成要素と組み合わされ得る。
【０１３４】
[0142]基地局ＳＲ繰返しマネージャ９１５は、ＵＥに関連付けられたチャネル状態を識別し、チャネル状態に基づいてＵＥ用のＳＲ繰返し構成を決定し、ＳＲ繰返し構成に基づいてＵＥ用のＳＲ繰返しパラメータを生成し、ＳＲ繰返しパラメータをＵＥに送信し得る。ＳＲ繰返し構成はＵＥ固有であり得、また、ＵＥ用のトラフィック優先度、ＵＥリンクバジェット、トラフィック待ち時間要件、またはＳＲ実行履歴のうちの１つまたは複数に基づき得る。
【０１３５】
[0143]送信機９２０は、デバイスの他の構成要素によって生成された信号を送信し得る。いくつかの例では、送信機９２０は、トランシーバモジュール内で受信機９１０とコロケートされ得る。たとえば、送信機９２０は、図１２を参照して記載されるトランシーバ１２３５の態様の一例であり得る。送信機９２０は、単一のアンテナまたはアンテナのセットを利用し得る。
【０１３６】
[0144]図１０は、本開示の態様による、ＵＥ固有のＳＲの繰返し（たとえば、再送信）をサポートするワイヤレスデバイス１００５のブロック図１０００を示す。ワイヤレスデバイス１００５は、図９を参照して記載されたワイヤレスデバイス９０５または基地局１０５の態様の一例であり得る。ワイヤレスデバイス１００５は、受信機１０１０と、基地局ＳＲ繰返しマネージャ１０１５と、送信機１０２０とを含み得る。ワイヤレスデバイス１００５は、プロセッサも含み得る。これらの構成要素の各々は、（たとえば、１つまたは複数のバスを介して）互いに通信していてよい。
【０１３７】
[0145]受信機１０１０は、パケット、ユーザデータ、または様々な情報チャネルに関連付けられた制御情報（たとえば、制御チャネル、データチャネル、およびＵＥ固有のスケジューリング要求の繰返しに関係する情報など）などの情報を受信し得る。情報はデバイスの他の構成要素に受け渡され得る。受信機１０１０は、図１２を参照して記載されるトランシーバ１２３５の態様の一例であり得る。受信機１０１０は、単一のアンテナまたはアンテナのセットを利用し得る。
【０１３８】
[0146]基地局ＳＲ繰返しマネージャ１０１５は、図１２を参照して記載される基地局ＳＲ繰返しマネージャ１２１５の態様の一例であり得る。基地局ＳＲ繰返しマネージャ１０１５はまた、チャネル状態構成要素１０２５と、ＳＲ繰返し構成構成要素１０３０と、繰返しパラメータ構成要素１０３５とを含み得る。
【０１３９】
[0147]チャネル状態構成要素１０２５は、ＵＥに関連付けられたチャネル状態を識別し得る。ＳＲ繰返し構成構成要素１０３０は、チャネル状態に基づいてＵＥ用のＳＲ繰返し構成を決定し得る。いくつかのケースでは、ＳＲ繰返し構成はＵＥ固有であり得、ＵＥ用のトラフィック優先度、ＵＥリンクバジェット、トラフィック待ち時間要件、またはＳＲ実行履歴のうちの１つまたは複数に基づき得る。
【０１４０】
[0148]繰返しパラメータ構成要素１０３５は、ＳＲ繰返し構成に基づいてＵＥ用のＳＲ繰返しパラメータを生成し、ＳＲ繰返しパラメータをＵＥに送信することと、ＵＥによるＳＲ繰返しの最大数を示すＳＲ繰返し数を決定することであって、ＳＲ繰返しパラメータがＳＲ繰返し数を示す、決定することと、ＵＥがＳＲの繰返しを送信するためのＳＲ繰返し周期を決定することであって、ＳＲ繰返しパラメータがＳＲ繰返し周期を表す、決定することと、ＵＥがＳＲの繰返しを送信するための開始シンボル期間を決定することであって、開始シンボル期間がＳＲ繰返し数およびＳＲ繰返し周期に基づき、ＳＲ繰返しパラメータが開始シンボル期間を表す、決定することとを行い得る。いくつかのケースでは、ＳＲ繰返しパラメータは、ＵＥ用のトラフィック優先度、もしくはＵＥリンクバジェット、もしくはＵＥの待ち時間要件、もしくはＵＥの信頼性要件、もしくはＵＥのＳＲ実行履歴、ＵＥの位置、またはそれらの組合せに基づく。いくつかのケースでは、ＳＲ繰返しパラメータは、ＲＲＣメッセージングを介して、またはＰＤＣＣＨを介して送信される。
【０１４１】
[0149]送信機１０２０は、デバイスの他の構成要素によって生成された信号を送信し得る。いくつかの例では、送信機１０２０は、トランシーバモジュール内で受信機１０１０とコロケートされ得る。たとえば、送信機１０２０は、図１２を参照して記載されるトランシーバ１２３５の態様の一例であり得る。送信機１０２０は、単一のアンテナまたはアンテナのセットを利用し得る。
【０１４２】
[0150]図１１は、本開示の態様による、ＵＥ固有のＳＲの繰返し（たとえば、再送信）をサポートする基地局ＳＲ繰返しマネージャ１１１５のブロック図１１００を示す。基地局ＳＲ繰返しマネージャ１１１５は、図９、図１０、および図１２を参照して記載される基地局ＳＲ繰返しマネージャ１２１５の態様の一例であり得る。基地局ＳＲ繰返しマネージャ１１１５は、チャネル状態構成要素１１２０と、ＳＲ繰返し構成構成要素１１２５と、繰返しパラメータ構成要素１１３０と、構成インデックス構成要素１１３５と、電力構成構成要素１１４０と、リソース割振り構成構成要素１１４５と、ＳＲ受信構成要素１１５０と、ＳＲ復号構成要素１１５５とを含み得る。これらのモジュールの各々は、直接的または間接的に、（たとえば、１つまたは複数のバスを介して）互いに通信し得る。
【０１４３】
[0151]チャネル状態構成要素１１２０は、ＵＥに関連付けられたチャネル状態を識別し得る。ＳＲ繰返し構成構成要素１１２５は、チャネル状態に基づいてＵＥ用のＳＲ繰返し構成を決定し得る。いくつかのケースでは、ＳＲ繰返し構成はＵＥ固有であり、ＵＥ用のトラフィック優先度、ＵＥリンクバジェット、トラフィック待ち時間要件、またはＳＲ実行履歴のうちの１つまたは複数に基づく。
【０１４４】
[0152]繰返しパラメータ構成要素１１３０は、ＳＲ繰返し構成に基づいてＵＥ用のＳＲ繰返しパラメータを生成し、ＳＲ繰返しパラメータをＵＥに送信し得る。いくつかのケースでは、繰返しパラメータ構成要素１１３０は、ＵＥによるＳＲ繰返しの最大数を示すＳＲ繰返し数を決定することができ、ＳＲ繰返しパラメータはＳＲ繰返し数を表す。追加または代替として、繰返しパラメータ構成要素１１３０は、ＵＥがＳＲの繰返しを送信するためのＳＲ繰返し周期を決定することができ、ＳＲ繰返しパラメータはＳＲ繰返し周期を表す。さらに、繰返しパラメータ構成要素１１３０は、ＵＥがＳＲの繰返しを送信するための開始シンボル期間を決定することができ、開始シンボル期間はＳＲ繰返し数およびＳＲ繰返し周期に基づき、ＳＲ繰返しパラメータは開始シンボル期間を表す。いくつかのケースでは、ＳＲ繰返しパラメータは、ＵＥ用のトラフィック優先度、もしくはＵＥリンクバジェット、もしくはＵＥの待ち時間要件、もしくはＵＥの信頼性要件、もしくはＵＥのＳＲ実行履歴、ＵＥの位置、またはそれらの組合せに基づき得る。いくつかのケースでは、ＳＲ繰返しパラメータは、ＲＲＣメッセージングを介して、またはＰＤＣＣＨを介して送信され得る。
【０１４５】
[0153]構成インデックス構成要素１１３５は、ＳＲ繰返し構成のインデックスを示し得る。電力構成構成要素１１４０は、ＵＥがＳＲの繰返しを送信するための電力構成を決定することができ、電力構成はチャネル状態に基づき、ＳＲ繰返しパラメータは電力構成を表す。いくつかのケースでは、電力構成は、ＳＲ繰返し数に基づいてＳＲの繰返しを送信するための送信電力のインジケーションを含み得る。
【０１４６】
[0154]リソース割振り構成構成要素１１４５は、ＵＥがＳＲの繰返しを送信するためのＳＲリソース割振りを構成することができ、ＳＲ繰返しパラメータはＳＲリソース割振りを表す。いくつかのケースでは、ＳＲリソース割振りは、ホッピングパターン、もしくは同じシンボル期間、もしくは複数のシンボル期間、もしくはシングルリソースブロック内のサイクリックシフト、様々な無線周波数帯域、またはそれらの任意の組合せを使用して、ＳＲの繰返し用の時間周波数リソースのセットを示し得る。
【０１４７】
[0155]ＳＲ受信構成要素１１５０は、ＳＲ繰返し構成に従って、ＳＲ応答ウィンドウの間にＳＲの繰返しをＵＥから受信し得る。ＳＲ復号構成要素１１５５は、受信されたＳＲの繰返しの組合せに基づいて、ＳＲを復号し得る。
【０１４８】
[0156]図１２は、本開示の態様による、ＵＥ固有のＳＲの繰返し（たとえば、再送信）をサポートするデバイス１２０５を含むシステム１２００の図を示す。デバイス１２０５は、たとえば、図１を参照して上述された基地局１０５の一例であるか、またはその構成要素を含み得る。デバイス１２０５は、基地局ＳＲ繰返しマネージャ１２１５と、プロセッサ１２２０と、メモリ１２２５と、ソフトウェア１２３０と、トランシーバ１２３５と、アンテナ１２４０と、ネットワーク通信マネージャ１２４５と、局間通信マネージャ１２５０とを含む、通信を送信および受信するための構成要素を含む、双方向音声およびデータ通信のための構成要素を含み得る。これらの構成要素は、１つまたは複数のバス（たとえば、バス１２１０）を介して電子通信していてよい。デバイス１２０５は、１つまたは複数のＵＥ１１５とワイヤレスに通信し得る。
【０１４９】
[0157]プロセッサ１２２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、ディスクリートゲートもしくはトランジスタ論理構成要素、ディスクリートハードウェア構成要素、またはそれらの任意の組合せ）を含み得る。いくつかのケースでは、プロセッサ１２２０は、メモリコントローラを使用してメモリアレイを動作させるように構成され得る。他の場合には、メモリコントローラはプロセッサ１２２０に組み込まれ得る。プロセッサ１２２０は、様々な機能（たとえば、ＵＥ固有のスケジューリング要求の繰返しをサポートする機能またはタスク）を実行するために、メモリに記憶されたコンピュータ可読命令を実行するように構成され得る。
【０１５０】
[0158]メモリ１２２５は、ＲＡＭとＲＯＭとを含み得る。メモリ１２２５は、実行されると、本明細書に記載された様々な機能をプロセッサに実行させる命令を含む、コンピュータ可読、コンピュータ実行可能ソフトウェア１２３０を記憶し得る。いくつかのケースでは、メモリ１２２５は、とりわけ、周辺の構成要素またはデバイスとのインタラクションなどの、基本的なハードウェアまたはソフトウェアの動作を制御し得るＢＩＯＳを含み得る。
【０１５１】
[0159]ソフトウェア１２３０は、ＵＥ固有のスケジューリング要求の繰返しをサポートするコードを含む、本開示の態様をインプリメントするコードを含み得る。ソフトウェア１２３０は、システムメモリまたは他のメモリなどの非一時的コンピュータ可読媒体に記憶され得る。いくつかのケースでは、ソフトウェア１２３０は、プロセッサによって直接実行可能でない場合があるが、（たとえば、コンパイルされ実行されると）本明細書に記載された機能をコンピュータに実行させ得る。
【０１５２】
[0160]トランシーバ１２３５は、上述されたように、１つまたは複数のアンテナ、有線リンク、またはワイヤレスリンクを介して、双方向に通信し得る。たとえば、トランシーバ１２３５は、ワイヤレストランシーバを表すことができ、別のワイヤレストランシーバと双方向に通信し得る。トランシーバ１２３５はまた、パケットを変調し、変調されたパケットを送信用アンテナに与えるために、およびアンテナから受信されたパケットを復調するために、モデムを含み得る。いくつかのケースでは、ワイヤレスデバイスは単一のアンテナ１２４０を含み得る。しかしながら、いくつかのケースでは、デバイスは、複数のワイヤレス送信を同時に送信または受信することが可能であり得る、２つ以上のアンテナ１２４０を有し得る。
【０１５３】
[0161]ネットワーク通信マネージャ１２４５は、（たとえば、１つまたは複数の有線バックホールリンクを介する）コアネットワークとの通信を管理し得る。たとえば、ネットワーク通信マネージャ１２４５は、１つまたは複数のＵＥ１１５などのクライアントデバイス向けのデータ通信の転送を管理し得る。
【０１５４】
[0162]局間通信マネージャ１２５０は、他の基地局１０５との通信を管理することができ、他の基地局１０５と連携してＵＥ１１５との通信を制御するためのコントローラまたはスケジューラを含み得る。たとえば、局間通信マネージャ１２５０は、ビームフォーミングまたはジョイント送信などの様々な干渉緩和技法のためのＵＥ１１５への送信用のスケジューリングを調整し得る。いくつかの例では、局間通信マネージャ１２５０は、基地局１０５間の通信を提供するために、ＬＴＥ／ＬＴＥ−Ａワイヤレス通信ネットワーク技術内のＸ２インターフェースを提供し得る。
【０１５５】
[0163]図１３は、本開示の態様による、ＵＥ固有のＳＲの繰返し（たとえば、再送信）のための方法１３００を例示するフローチャートを示す。方法１３００の動作は、本明細書に記載されたＵＥ１１５またはその構成要素によって実施され得る。たとえば、方法１３００の動作は、図５〜図８を参照して記載されたＵＥ  ＳＲ繰返しマネージャによって実行され得る。いくつかの例では、ＵＥ１１５は、以下に記載される機能を実行するようにデバイスの機能要素を制御するために、コードのセットを実行し得る。追加または代替として、ＵＥ１１５は、専用ハードウェアを使用して、以下に記載される機能の態様を実行し得る。
【０１５６】
[0164]ブロック１３０５において、ＵＥ１１５は、ＵＥ用のＳＲ繰返しパラメータを備えるメッセージを基地局から受信し得る。ＳＲ繰返しパラメータはＵＥ固有であり得、ＵＥ用のトラフィック優先度、ＵＥリンクバジェット、トラフィック待ち時間要件、またはＳＲ実行履歴のうちの１つまたは複数に少なくとも部分的に基づき得る。ブロック１３０５の動作は、本明細書に記載された方法に従って実行され得る。いくつかの例では、ブロック１３０５の動作の態様は、図５〜図８を参照して記載されたＳＲ繰返しパラメータ構成要素によって実行され得る。
【０１５７】
[0165]ブロック１３１０において、ＵＥ１１５は、受信されたＳＲ繰返しパラメータに基づいて、基地局にＳＲの繰返しを送信し得る。ブロック１３１０の動作は、本明細書に記載された方法に従って実行され得る。いくつかの例では、ブロック１３１０の動作の態様は、図５〜図８を参照して記載されたＳＲ送信構成要素によって実行され得る。
【０１５８】
[0166]図１４は、本開示の態様による、ＵＥ固有のＳＲの繰返し（たとえば、再送信）のための方法１４００を例示するフローチャートを示す。方法１４００の動作は、本明細書に記載されたＵＥ１１５またはその構成要素によって実施され得る。たとえば、方法１４００の動作は、図５〜図８を参照して記載されたＵＥ  ＳＲ繰返しマネージャによって実行され得る。いくつかの例では、ＵＥ１１５は、以下に記載される機能を実行するようにデバイスの機能要素を制御するために、コードのセットを実行し得る。追加または代替として、ＵＥ１１５は、専用ハードウェアを使用して、以下に記載される機能の態様を実行し得る。
【０１５９】
[0167]ブロック１４０５において、ＵＥ１１５は、ＵＥ用のＳＲ繰返しパラメータを備えるメッセージを基地局から受信し得る。ＳＲ繰返しパラメータはＵＥ固有であり得、ＵＥ用のトラフィック優先度、ＵＥリンクバジェット、トラフィック待ち時間要件、またはＳＲ実行履歴のうちの１つまたは複数に少なくとも部分的に基づき得る。ブロック１４０５の動作は、本明細書に記載された方法に従って実行され得る。いくつかの例では、ブロック１４０５の動作の態様は、図５〜図８を参照して記載されたＳＲ繰返しパラメータ構成要素によって実行され得る。
【０１６０】
[0168]ブロック１４１０において、ＵＥ１１５は、受信されたＳＲ繰返しパラメータに基づいて、基地局にＳＲの繰返しを送信し得る。ブロック１４１０の動作は、本明細書に記載された方法に従って実行され得る。いくつかの例では、ブロック１４１０の動作の態様は、図５〜図８を参照して記載されたＳＲ送信構成要素によって実行され得る。
【０１６１】
[0169]ブロック１４１５において  ＵＥ１１５は、電力構成に基づいて、ＳＲの繰返しを送信するための送信電力を調整し得る。ブロック１４１５の動作は、本明細書に記載された方法に従って実行され得る。いくつかの例では、ブロック１４１５の動作の態様は、図５〜図８を参照して記載されたＳＲ電力構成構成要素によって実行され得る。
【０１６２】
[0170]図１５は、本開示の態様による、ＵＥ固有のＳＲの繰返し（たとえば、再送信）のための方法１５００を例示するフローチャートを示す。方法１５００の動作は、本明細書に記載されたＵＥ１１５またはその構成要素によって実施され得る。たとえば、方法１５００の動作は、図５〜図８を参照して記載されたＵＥ  ＳＲ繰返しマネージャによって実行され得る。いくつかの例では、ＵＥ１１５は、以下に記載される機能を実行するようにデバイスの機能要素を制御するために、コードのセットを実行し得る。追加または代替として、ＵＥ１１５は、専用ハードウェアを使用して、以下に記載される機能の態様を実行し得る。
【０１６３】
[0171]ブロック１５０５において、ＵＥ１１５は、ＵＥ用のＳＲ繰返しパラメータを備えるメッセージを基地局から受信し得る。ＳＲ繰返しパラメータはＵＥ固有であり得、ＵＥ用のトラフィック優先度、ＵＥリンクバジェット、トラフィック待ち時間要件、またはＳＲ実行履歴のうちの１つまたは複数に少なくとも部分的に基づき得る。ブロック１５０５の動作は、本明細書に記載された方法に従って実行され得る。いくつかの例では、ブロック１５０５の動作の態様は、図５〜図８を参照して記載されたＳＲ繰返しパラメータ構成要素によって実行され得る。
【０１６４】
[0172]ブロック１５１０において、ＵＥ１１５は、受信されたＳＲ繰返しパラメータに基づいて、基地局にＳＲの繰返しを送信し得る。ブロック１５１０の動作は、本明細書に記載された方法に従って実行され得る。いくつかの例では、ブロック１５１０の動作の態様は、図５〜図８を参照して記載されたＳＲ送信構成要素によって実行され得る。
【０１６５】
[0173]いくつかのケースでは、ＳＲの繰返しを送信することは、ＳＲ繰返しの最大数が満たされるまで、ＳＲ応答ウィンドウの間にＳＲを送信することを含む。
【０１６６】
[0174]図１６は、本開示の態様による、ＵＥ固有のＳＲの繰返し（たとえば、再送信）のための方法１６００を例示するフローチャートを示す。方法１６００の動作は、本明細書に記載されたＵＥ１１５またはその構成要素によって実施され得る。たとえば、方法１６００の動作は、図５〜図８を参照して記載されたＵＥ  ＳＲ繰返しマネージャによって実行され得る。いくつかの例では、ＵＥ１１５は、以下に記載される機能を実行するようにデバイスの機能要素を制御するために、コードのセットを実行し得る。追加または代替として、ＵＥ１１５は、専用ハードウェアを使用して、以下に記載される機能の態様を実行し得る。
【０１６７】
[0175]ブロック１６０５において、ＵＥ１１５は、ＵＥ用のＳＲ繰返しパラメータを備えるメッセージを基地局から受信し得る。ＳＲ繰返しパラメータはＵＥ固有であり得、ＵＥ用のトラフィック優先度、ＵＥリンクバジェット、トラフィック待ち時間要件、またはＳＲ実行履歴のうちの１つまたは複数に少なくとも部分的に基づき得る。ブロック１６０５の動作は、本明細書に記載された方法に従って実行され得る。いくつかの例では、ブロック１６０５の動作の態様は、図５〜図８を参照して記載されたＳＲ繰返しパラメータ構成要素によって実行され得る。
【０１６８】
[0176]ブロック１６１０において、ＵＥ１１５は、受信されたＳＲ繰返しパラメータに基づいて、基地局にＳＲの繰返しを送信し得る。いくつかのケースでは、ＳＲの繰返しを送信することは、基地局からリソース認可が受信されるまで、ＳＲ応答ウィンドウの間にＳＲを送信することを含む。ブロック１６１０の動作は、本明細書に記載された方法に従って実行され得る。いくつかの例では、ブロック１６１０の動作の態様は、図５〜図８を参照して記載されたＳＲ送信構成要素によって実行され得る。
【０１６９】
[0177]図１７は、本開示の態様による、ＵＥ固有のＳＲの繰返し（たとえば、再送信）のための方法１７００を例示するフローチャートを示す。方法１７００の動作は、本明細書に記載された基地局１０５またはその構成要素によって実施され得る。たとえば、方法１７００の動作は、図９〜図１２を参照して記載された基地局ＳＲ繰返しマネージャによって実行され得る。いくつかの例では、基地局１０５は、以下に記載される機能を実行するようにデバイスの機能要素を制御するために、コードのセットを実行し得る。追加または代替として、基地局１０５は、専用ハードウェアを使用して、以下に記載される機能の態様を実行し得る。
【０１７０】
[0178]ブロック１７０５において、基地局１０５は、ＵＥに関連付けられたチャネル状態を識別し得る。ブロック１７０５の動作は、本明細書に記載された方法に従って実行され得る。いくつかの例では、ブロック１７０５の動作の態様は、図９〜図１２を参照して記載されたチャネル状態構成要素によって実行され得る。
【０１７１】
[0179]ブロック１７１０において、基地局１０５は、チャネル状態に基づいてＵＥ用のＳＲ繰返し構成を決定し得る。ＳＲ繰返し構成はＵＥ固有であり得、また、ＵＥ用のトラフィック優先度、ＵＥリンクバジェット、トラフィック待ち時間要件、またはＳＲ実行履歴のうちの１つまたは複数に少なくとも部分的に基づき得る。ブロック１７１０の動作は、本明細書に記載された方法に従って実行され得る。いくつかの例では、ブロック１７１０の動作の態様は、図９〜図１２を参照して記載されたＳＲ繰返し構成構成要素によって実行され得る。
【０１７２】
[0180]ブロック１７１５において、基地局１０５は、ＳＲ繰返し構成に基づいてＵＥ用のＳＲ繰返しパラメータを生成し得る。ブロック１７１５の動作は、本明細書に記載された方法に従って実行され得る。いくつかの例では、ブロック１７１５の動作の態様は、図９〜図１２を参照して記載された繰返しパラメータ構成要素によって実行され得る。
【０１７３】
[0181]ブロック１７２０において、基地局１０５は、ＳＲ繰返しパラメータをＵＥに送信し得る。ブロック１７２０の動作は、本明細書に記載された方法に従って実行され得る。いくつかの例では、ブロック１７２０の動作の態様は、図９〜図１２を参照して記載された繰返しパラメータ構成要素によって実行され得る。
【０１７４】
[0182]図１８は、本開示の態様による、ＵＥ固有のＳＲの繰返し（たとえば、再送信）のための方法１８００を例示するフローチャートを示す。方法１８００の動作は、本明細書に記載された基地局１０５またはその構成要素によって実施され得る。たとえば、方法１８００の動作は、図９〜図１２を参照して記載された基地局ＳＲ繰返しマネージャによって実行され得る。いくつかの例では、基地局１０５は、以下に記載される機能を実行するようにデバイスの機能要素を制御するために、コードのセットを実行し得る。追加または代替として、基地局１０５は、専用ハードウェアを使用して、以下に記載される機能の態様を実行し得る。
【０１７５】
[0183]ブロック１８０５において、基地局１０５は、ＵＥに関連付けられたチャネル状態を識別し得る。ブロック１８０５の動作は、本明細書に記載された方法に従って実行され得る。いくつかの例では、ブロック１８０５の動作の態様は、図９〜図１２を参照して記載されたチャネル状態構成要素によって実行され得る。
【０１７６】
[0184]ブロック１８１０において、基地局１０５は、チャネル状態に基づいてＵＥ用のＳＲ繰返し構成を決定し得る。ＳＲ繰返し構成はＵＥ固有であり得、また、ＵＥ用のトラフィック優先度、ＵＥリンクバジェット、トラフィック待ち時間要件、またはＳＲ実行履歴のうちの１つまたは複数に少なくとも部分的に基づき得る。ブロック１８１０の動作は、本明細書に記載された方法に従って実行され得る。いくつかの例では、ブロック１８１０の動作の態様は、図９〜図１２を参照して記載されたＳＲ繰返し構成構成要素によって実行され得る。
【０１７７】
[0185]ブロック１８１５において、基地局１０５は、ＵＥがＳＲの繰返しを送信するためのＳＲリソース割振りを構成することができ、ＳＲ繰返しパラメータはＳＲリソース割振りを表す。ブロック１８１５の動作は、本明細書に記載された方法に従って実行され得る。いくつかの例では、ブロック１８１５の動作の態様は、図９〜図１２を参照して記載されたリソース割振り構成構成要素によって実行され得る。
【０１７８】
[0186]ブロック１８２０において、基地局１０５は、ＳＲ繰返し構成に基づいてＵＥ用のＳＲ繰返しパラメータを生成し得る。ブロック１８２０の動作は、本明細書に記載された方法に従って実行され得る。いくつかの例では、ブロック１８２０の動作の態様は、図９〜図１２を参照して記載された繰返しパラメータ構成要素によって実行され得る。
【０１７９】
[0187]ブロック１８２５において、基地局１０５は、ＳＲ繰返しパラメータをＵＥに送信し得る。ブロック１８２５の動作は、本明細書に記載された方法に従って実行され得る。いくつかの例では、ブロック１８２５の動作の態様は、図９〜図１２を参照して記載された繰返しパラメータ構成要素によって実行され得る。
【０１８０】
[0188]上述された方法は可能なインプリメンテーションを記載すること、ならびに動作およびステップは並べ替えられるかまたはさもなければ修正されてよいこと、ならびに他のインプリメンテーションが可能であることに留意されたい。さらに、方法のうちの２つ以上からの態様が組み合わされ得る。
【０１８１】
[0189]本明細書に記載された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの様々なワイヤレス通信システムに使用され得る。ＣＤＭＡシステムは、ＣＤＭＡ２０００、ユニバーサル地上波無線アクセス（ＵＴＲＡ）などの無線技術をインプリメントし得る。ＣＤＭＡ２０００は、ＩＳ−２０００規格と、ＩＳ−９５規格と、ＩＳ−８５６規格とをカバーする。ＩＳ−２０００のリリースは、通常、ＣＤＭＡ２０００  １Ｘ、１Ｘなどと呼ばれ得る。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術をインプリメントし得る。
【０１８２】
[0190]ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術をインプリメントし得る。ＵＴＲＡおよびＥ−ＵＴＲＡは、ユニバーサルモバイルテレコミュニケーションシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）と称する団体からの文書に記載されている。本明細書に記載された技法は、上述されたシステムおよび無線技術、ならびに他のシステムおよび無線技術に使用され得る。ＬＴＥシステムまたはＮＲシステムの態様が例として記載され得、ＬＴＥまたはＮＲの用語が説明のほとんどで使用されてよいが、本明細書に記載された技法は、ＬＴＥまたはＮＲの用途を超えて適用可能である。
【０１８３】
[0191]マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して低電力の基地局１０５と関連付けられてよく、スモールセルは、マクロセルと同じかまたは異なる（たとえば、認可、無認可などの）周波数帯域内で動作し得る。スモールセルには、様々な例によれば、ピコセル、フェムトセル、およびマイクロセルが含まれ得る。ピコセルは、たとえば、小さい地理的エリアをカバーすることができ、ネットワークプロバイダのサービスに加入しているＵＥ１１５による無制限アクセスを可能にし得る。フェムトセルも、小さい地理的エリア（たとえば、自宅）をカバーすることができ、フェムトセルとの関連付けを有するＵＥ１１５（たとえば、限定加入者グループ（ＣＳＧ）内のＵＥ１１５、自宅内のユーザのためのＵＥ１１５など）による制限付きアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（たとえば、２つ、３つ、４つなど）のセルをサポートすることができ、１つまたは複数のコンポーネントキャリアを使用する通信をサポートすることもできる。
【０１８４】
[0192]本明細書に記載された１つまたは複数のワイヤレス通信システム１００は、同期動作または非同期動作をサポートし得る。同期動作の場合、基地局１０５は類似するフレームタイミングを有し得、異なる基地局１０５からの送信は時間的にほぼアラインされ得る。非同期動作の場合、基地局１０５は異なるフレームタイミングを有し得、異なる基地局１０５からの送信は時間的にアラインされ得ない。本明細書に記載された技法は、同期動作または非同期動作のどちらにも使用され得る。
【０１８５】
[0193]本明細書に記載された情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁気粒子、光場もしくは光学粒子、またはそれらの任意の組合せによって表され得る。
【０１８６】
[0194]本明細書の開示に関して記載された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、ディスクリートゲートもしくはトランジスタ論理、ディスクリートハードウェア構成要素、または本明細書に記載された機能を実行するように設計されたそれらの任意の組合せを用いてインプリメントまたは実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ（たとえば、ＤＳＰとマイクロプロセッサの組合せ、複数のマイクロプロセッサ、ＤＳＰコアと連携する１つもしくは複数のマイクロプロセッサ、または任意の他のそのような構成）としてインプリメントされ得る。
【０１８７】
[0195]本明細書に記載された機能は、ハードウェア、プロセッサによって実行されるソフトウェア、ファームウェア、またはそれらの任意の組合せにインプリメントされ得る。プロセッサによって実行されるソフトウェアにインプリメントされる場合、機能は、１つまたは複数の命令またはコードとして、コンピュータ可読媒体上に記憶されるか、またはコンピュータ可読媒体を介して送信され得る。他の例およびインプリメンテーションは、本開示の範囲内および添付の特許請求の範囲内にある。たとえば、ソフトウェアの性質により、上述された機能は、プロセッサによって実行されるソフトウェア、ハードウェア、ファームウェア、ハードワイヤリング、またはこれらのうちのいずれかの組合せを使用してインプリメントされることができる。機能をインプリメントする特徴はまた、異なる物理位置に機能の部分がインプリメントされるように分散されることを含めて、様々な位置に物理的に配置され得る。
【０１８８】
[0196]コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされることができる任意の利用可能な媒体であり得る。限定ではなく例として、非一時的コンピュータ可読媒体は、ランダムアクセスメモリ（ＲＡＭ）、読取り専用メモリ（ＲＯＭ）、電気的消去可能プログラマブル読取り専用メモリ（ＥＥＰＲＯＭ（登録商標））、フラッシュメモリ、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用されることができ、汎用もしくは専用のコンピュータまたは汎用もしくは専用のプロセッサによってアクセスされることができる任意の他の非一時的媒体を備え得る。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１８９】
[0197]特許請求の範囲内を含めて本明細書で使用される、項目のリスト（たとえば、「のうちの少なくとも１つ」または「のうちの１つまたは複数」などの句で終わる項目のリスト）内で使用される「または」は、たとえば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するような包括的なリストを示す。また、本明細書で使用される「に基づいて」という句は、条件の閉集合への参照として解釈されるべきでない。たとえば、「条件Ａに基づいて」と記述された例示的なステップは、本開示の範囲から逸脱することなく、条件Ａと条件Ｂの両方に基づき得る。言い換えれば、本明細書で使用される「に基づいて」という句は、「に少なくとも部分的に基づいて」という句と同じように解釈されるべきである。
【０１９０】
[0198]添付の図では、同様の構成要素または特徴は同じ参照ラベルを有し得る。さらに、同じタイプの様々な構成要素は、参照ラベルの後に、ダッシュと、同様の構成要素を区別する第２のラベルとを続けることによって区別され得る。第１の参照ラベルのみが本明細書において使用される場合、その説明は、第２の参照ラベルまたは他の次の参照ラベルにかかわらず、同じ第１の参照ラベルを有する同様の構成要素のうちのいずれにも適用可能である。
【０１９１】
[0199]添付の図面に関して本明細書に記載された説明は、例示的な構成を記載しており、インプリメントされ得るか、または特許請求の範囲内にあるすべての例を表すとは限らない。本明細書で使用される「例示的」という用語は、「例、事例、または例示として働くこと」を意味し、「好ましい」または「他の例よりも有利な」を意味しない。発明を実施するための形態は、記載される技法への理解を与えるための具体的な詳細を含む。しかしながら、これらの技法は、これらの具体的な詳細なしに実践され得る。いくつかの事例では、記載された例の概念を不明瞭にすることを回避するために、よく知られている構造およびデバイスがブロック図の形態で示される。
【０１９２】
[0200]本明細書の説明は、当業者が本開示を作成または使用することを可能にするように提供される。本開示に対する様々な修正は当業者には容易に明らかであり、本明細書で定義された一般原理は、本開示の範囲から逸脱することなく他の変形形態に適用され得る。したがって、本開示は、本明細書に記載された例および設計に限定されず、本明細書で開示された原理および新規の特徴に合致する最も広い範囲を与えられるべきである。
【図１】
2020535704.tif 000003
【図２】
2020535704.tif 000004
【図３Ａ】
2020535704.tif 000005
【図３Ｂ】
2020535704.tif 000006
【図３Ｃ】
2020535704.tif 000007
【図４】
2020535704.tif 000008
【図５】
2020535704.tif 000009
【図６】
2020535704.tif 000010
【図７】
2020535704.tif 000011
【図８】
2020535704.tif 000012
【図９】
2020535704.tif 000013
【図１０】
2020535704.tif 000014
【図１１】
2020535704.tif 000015
【図１２】
2020535704.tif 000016
【図１３】
2020535704.tif 000017
【図１４】
2020535704.tif 000018
【図１５】
2020535704.tif 000019
【図１６】
2020535704.tif 000020
【図１７】
2020535704.tif 000021
【図１８】
2020535704.tif 000022
【国際調査報告】
2020535704.tif 000023
2020535704.tif 000024
2020535704.tif 000025